【事件の表示】
　特許第５９５４５２２号発明「水中への溶出が促進される固形農薬組成物」の特許異議申立事件について、次のとおり決定する。
【結　論】
　特許第５９５４５２２号の明細書及び特許請求の範囲を訂正請求書に添付された訂正明細書及び特許請求の範囲のとおり、訂正後の請求項〔１−６〕について訂正することを認める。
　特許第５９５４５２２号の請求項１、３及び６に係る特許を取り消す。
　特許第５９５４５２２号の請求項２、４及び５に係る特許についての特許異議の申立てを却下する。
【理　由】
第１　手続の経緯
　特許第５９５４５２２号の請求項１〜６に係る特許についての出願は、平成２３年１１月１１日に特許出願され、平成２８年６月２４日に特許権の設定登録がされ、平成２８年７月２０日にその特許公報が発行され、平成２９年１月２０日に、その請求項１〜６に係る発明の特許に対し、岩田博明（以下「特許異議申立人」という。）により特許異議の申立てがされたものである。 
　その後の手続の経緯は以下のとおりである。 
　平成２９年　３月１７日付け　取消理由通知書 
　　　　同年　５月２２日　　　意見書・訂正請求書（特許権者） 
　　　　同年　７月１２日　　　意見書（特許異議申立人） 
　　　　同年　８月２１日付け　取消理由通知書（決定の予告）
　　　　同年１０月２３日　　　意見書・訂正請求書（特許権者） 
　　　　同年１２月１２日　　　意見書（特許異議申立人）
第２　訂正の適否についての判断 
　特許権者は、特許法第１２０条の５第１項の規定により審判長が指定した期間内である平成２９年１０月２３日に訂正請求書を提出し、本件特許の特許請求の範囲及び明細書を訂正請求書に添付した訂正特許請求の範囲及び訂正明細書のとおり訂正後の請求項１〜６について訂正することを求めた（以下「本件訂正」という。）。 
　なお、平成２９年５月２２日付けでなされた訂正請求は、特許法第１２０条の５第７項の規定により取り下げられたものとみなす。
１　訂正の内容 
（１）請求項１〜６に係る一群の請求項に係る訂正について 
ア　訂正事項１ 
　訂正前の請求項１に「（ａ）農薬活性成分、（ｂ）ポリオキシエチレンアリールフェニルエーテル系界面活性剤またはポリオキシプロピレンアリールフェニルエーテル系界面活性剤、（ｃ）スルホネート系界面活性剤および（ｄ）カルボキシメチルセルロース塩を含有する固形農薬組成物」と記載されているのを、「（ａ）ブタクロール、（ｂ）ポリオキシエチレンアリールフェニルエーテル系界面活性剤、（ｃ）ジアルキルスルホコハク酸塩、（ｄ）カルボキシメチルセルロースナトリウムおよび（ｅ）ポリアクリル酸塩を含有する固形農薬組成物」に訂正する。 
イ　訂正事項２ 
　特許請求の範囲の請求項２を削除する。 
 
ウ　訂正事項３ 
　訂正前の請求項３に「ポリオキシエチレンアリールフェニルエーテルリン酸、ポリオキシプロピレンアリールフェニルエーテルリン酸、ポリオキシエチレンアリールフェニルエーテル硫酸もしくはポリオキシプロピレンアリールフェニルエーテル硫酸またはそれらの塩」及び「請求項１または２」と記載されているのを、「ポリオキシエチレンアリールフェニルエーテルリン酸、ポリオキシエチレンアリールフェニルエーテル硫酸またはそれらの塩」及び「請求項１」に訂正する。
エ　訂正事項４ 
　特許請求の範囲の請求項４を削除する。
  
オ　訂正事項５ 
　特許請求の範囲の請求項５を削除する。 
  
カ　訂正事項６ 
　訂正前の請求項６に「請求項１ないし５から選ばれるいずれか１項記載」と記載されているのを、「請求項１または３記載」に訂正する。 
  
（２）明細書の訂正について 
ア　訂正事項７ 
　訂正前の明細書の段落【０００６】に「〔１〕〜〔６〕」と記載されているのを、「〔１〕、〔３〕及び〔６〕」に訂正する。 
  
イ　訂正事項８ 
　訂正前の明細書の段落【０００７】に「〔１〕 （ａ）農薬活性成分、（ｂ）ポリオキシエチレンアリールフェニルエーテル系界面活性剤またはポリオキシプロピレンアリールフェニルエーテル系界面活性剤、（ｃ）スルホネート系界面活性剤および（ｄ）カルボキシメチルセルロース塩を含有する固形農薬組成物。」と記載されているのを、「〔１〕　（ａ）ブタクロール、（ｂ）ポリオキシエチレンアリールフェニルエーテル系界面活性剤、（ｃ）ジアルキルスルホコハク酸塩、（ｄ）カルボキシメチルセルロースナトリウムおよび（ｅ）ポリアクリル酸塩を含有する固形農薬組成物（但し、水溶性フィルムに内包されている農薬組成物を除く。）。」に訂正する。 
ウ　訂正事項９ 
　訂正前の明細書の段落【０００８】の記載を削除する。 
エ　訂正事項１０ 
　訂正前の明細書の段落【０００９】に「ポリオキシエチレンアリールフェニルエーテルリン酸、ポリオキシプロピレンアリールフェニルエーテルリン酸、ポリオキシエチレンアリールフェニルエーテル硫酸もしくはポリオキシプロピレンアリールフェニルエーテル硫酸またはそれらの塩である上記〔１〕または〔２〕記載」と記載されているのを、「ポリオキシエチレンアリールフェニルエーテルリン酸、ポリオキシエチレンアリールフェニルエーテル硫酸またはそれらの塩である上記〔１〕記載」に訂正する。 
オ　訂正事項１１ 
　訂正前の明細書の段落【００１０】の記載を削除する。 
カ　訂正事項１２ 
　訂正前の明細書の段落【００１１】の記載を削除する。 
キ　訂正事項１３ 
　訂正前の明細書の段落【００１２】に「〔１〕ないし〔５〕から選ばれるいずれかに記載」と記載されているのを、「〔１〕または〔３〕記載」に訂正する。 
  
ク　訂正事項１４ 
　訂正前の明細書の段落【００４６】に「実施例２」と記載されているのを「参考例２」に訂正し、また、「本発明の粒状農薬組成物」と記載されているのを「粒状農薬組成物」に訂正する。
ケ　訂正事項１５ 
　訂正前の明細書の段落【００４８】に「実施例３」と記載されているのを「参考例３」に訂正し、また、「実施例２」と記載されているのを「参考例２」に訂正し、さらに、「本発明の農薬粒状組成物」と記載されているのを「農薬粒状組成物」に訂正する。 
コ　訂正事項１６ 
　訂正前の明細書の段落【００５０】に「実施例２」と記載されているのを「参考例２」に訂正する。 
サ　訂正事項１７ 
　訂正前の明細書の段落【００５３】に「実施例２」と記載されているのを「参考例２」に訂正する。 
シ　訂正事項１８ 
　訂正前の明細書の段落【００５６】に「実施例６」と記載されているのを「参考例６」に訂正し、また、「実施例２」と記載されているのを「参考例２」に訂正し、さらに、「本発明の粒状農薬組成物」と記載されているのを「粒状農薬組成物」に訂正する。 
ス　訂正事項１９ 
　訂正前の明細書の段落【００５７】に「実施例２」と記載されているのを「参考例２」に訂正する。 
セ　訂正事項２０ 
　訂正前の明細書の段落【００５８】に「実施例２」と記載されているのを「参考例２」に訂正する。 
ソ　訂正事項２１ 
　訂正前の明細書の段落【００６０】に「実施例２」と記載されているのを「参考例２」に訂正する。 
タ　訂正事項２２ 
　訂正前の明細書の段落【００６１】に「実施例６」と記載されているのを「参考例６」に訂正する。 
チ　訂正事項２３ 
　訂正前の明細書の段落【００６２】に「実施例６」と記載されているのを「参考例６」に訂正する。 
ツ　訂正事項２４ 
　訂正前の明細書の段落【００６３】に「実施例２〜５」と記載されているのを「実施例４〜５」に訂正し、また、「、実施例６および比較例４、５で製造した粒状農薬組成物各２０ｍｇ」という記載を削除し、さらに、「第１表および第２表」と記載されているのを「第１表」に訂正する。 
テ　訂正事項２５ 
　訂正前の明細書の段落【００６４】に記載の第１表中から実施例２及び実施例３に関する記載を削除する。また、第２表に関する記載を削除する。
２　判断 
（１）請求項１〜６に係る一群の請求項について 
ア　一群の請求項について 
　訂正事項１〜６に係る訂正前の請求項１〜６について、請求項２〜６はそれぞれ請求項１を直接的又は間接的に引用するものであって、訂正事項１によって記載が訂正される請求項１に連動して訂正されるものである。したがって、訂正前の請求項１〜６に対応する訂正後の請求項１〜６は、特許法第１２０条の５第４項に規定する一群の請求項である。 
イ　訂正事項１について 
（ア）訂正の目的について 
　訂正事項１は、訂正前の「（ａ）農薬活性成分」を「（ａ）ブタクロール」とすることで農薬活性成分を限定する訂正と、「（ｂ）ポリオキシエチレンアリールフェニルエーテル系界面活性剤またはポリオキシプロピレンアリールフェニルエーテル系界面活性剤」を「（ｂ）ポリオキシエチレンアリールフェニルエーテル系界面活性剤」とすることで、選択肢からポリオキシプロピレンアリールフェニルエーテル系界面活性剤を削除して（ｂ）成分を限定する訂正と、訂正前の「（ｃ）スルホネート系界面活性剤」を「（ｃ）ジアルキルスルホコハク酸塩」とすることで、スルホネート系界面活性剤を限定する訂正と、「（ｄ）カルボキシメチルセルロース塩」を「（ｄ）カルボキシメチルセルロースナトリウム」とすることで、カルボキシメチルセルロース塩を限定する訂正と、固形農薬組成物に「（ｅ）ポリアクリル酸塩を含有する」ことを加入することで固形農薬組成物を限定する訂正であるから、訂正事項１は、特許請求の範囲の減縮を目的とする訂正に該当する。 
（イ）実質上の特許請求の範囲の拡張・変更について 
　訂正事項１は、上記（ア）で述べたとおり、いずれも特許請求の範囲を減縮する訂正であるから、特許請求の範囲を実質上拡張又は変更するものではない。 
（ウ）新規事項の追加について 
　訂正事項１のうち、訂正前の「（ａ）農薬活性成分」を「（ａ）ブタクロール」とする訂正は、願書に添付した明細書の段落【００３５】には農薬活性成分の具体例としてブタクロールが記載されているから、願書に添付した明細書に記載した事項の範囲内であるといえる。また、「（ｂ）ポリオキシエチレンアリールフェニルエーテル系界面活性剤またはポリオキシプロピレンアリールフェニルエーテル系界面活性剤」を「（ｂ）ポリオキシエチレンアリールフェニルエーテル系界面活性剤」とする訂正は、固形農薬組成物の成分を限定する訂正であるから新規事項の追加に当たらないことは明らかである。さらに、「（ｃ）スルホネート系界面活性剤」を「（ｃ）ジアルキルスルホコハク酸塩」とする訂正は、願書に添付した明細書の段落【００２４】にはスルホネート系界面活性剤の具体例としてジアルキルスルホコハク酸塩が記載されているから、願書に添付した明細書に記載した事項の範囲内であるといえ、「（ｄ）カルボキシメチルセルロース塩」を「（ｄ）カルボキシメチルセルロースナトリウム」とする訂正は、願書に添付した明細書の段落【００２６】にはカルボキシメチルセルロース塩の対イオンとしてナトリウムが記載されているから、願書に添付した明細書に記載した事項の範囲内であるといえる。そして、固形農薬組成物に「（ｅ）ポリアクリル酸塩を含有する」ことを加入する訂正については、願書に添付した明細書の段落【００２８】には、本発明で使用されるポリカルボン酸塩として、ポリアクリル酸の塩が記載されているから、願書に添付した明細書又は特許請求の範囲に記載した事項の範囲内であるといえる。 
ウ　訂正事項２、４及び５について 
（ア）訂正の目的について  
　訂正事項２、４及び５は、それぞれ請求項２、４及び５を削除する訂正であるから、特許請求の範囲の減縮を目的とする訂正に該当する。  
（イ）実質上の特許請求の範囲の拡張・変更、新規事項の追加について  
　訂正事項２、４及び５は、請求項２、４及び５を削除する訂正であるから、実質上特許請求の範囲の拡張・変更に該当せず、また、新規事項の追加に当たらないことは明らかである。 
エ　訂正事項３について 
（ア）訂正の目的について 
　訂正事項３は、請求項３において、訂正前の「（ｂ）の界面活性剤が、ポリオキシエチレンアリールフェニルエーテルリン酸、ポリオキシプロピレンアリールフェニルエーテルリン酸、ポリオキシエチレンアリールフェニルエーテル硫酸もしくはポリオキシプロピレンアリールフェニルエーテル硫酸またはそれらの塩である」を「（ｂ）の界面活性剤が、ポリオキシエチレンアリールフェニルエーテルリン酸、ポリオキシエチレンアリールフェニルエーテル硫酸またはそれらの塩である」とすることで、選択肢からポリオキシプロピレンアリールフェニルエーテルリン酸、ポリオキシプロピレンアリールフェニルエーテル硫酸を削除して（ｂ）成分を限定する訂正と、訂正事項２により請求項２を削除したことに伴い、引用する請求項が「１または２」であったものを、「１」とする訂正であるから、訂正事項３は、特許請求の範囲の減縮を目的とする訂正に該当する。 
（イ）実質上の特許請求の範囲の拡張・変更、新規事項の追加について 
　訂正事項３は、上記（ア）で述べたとおり、特許請求の範囲を減縮する訂正であるから、特許請求の範囲を実質上拡張又は変更に該当せず、また、新規事項の追加に当たらないことは明らかである。 
  
オ　訂正事項６について 
（ア）訂正の目的について  
　訂正事項６は、訂正事項２、４及び５により請求項２、４及び５を削除したことに伴い、請求項６において、引用する請求項が「１ないし５」であったものを、「１または３」とする訂正であるから、訂正事項６は、特許請求の範囲の減縮を目的とする訂正に該当する。 
（イ）実質上の特許請求の範囲の拡張・変更、新規事項の追加について 
　訂正事項６は、上記（ア）で述べたとおり、特許請求の範囲を減縮する訂正であるから、特許請求の範囲を実質上拡張又は変更に該当せず、また、新規事項の追加に当たらないことは明らかである。 
（２）明細書の訂正について 
ア　訂正事項７〜１３について 
（ア）訂正の目的について 
　訂正事項７〜１３は、明細書の段落【０００６】〜【００１２】において、特許請求の範囲の訂正事項１〜６と記載内容を整合させる訂正であるから、明瞭でない記載の釈明を目的とするものに該当する。 
（イ）実質上の特許請求の範囲の拡張・変更、新規事項の追加について 
　上記（１）イ（イ）及び（ウ）、ウ（イ）〜オ（イ）で述べたとおり、訂正事項１〜６が、実質上の特許請求の範囲を拡張・変更せず、また、新規事項の追加もないから、訂正事項７〜１３も、特許請求の範囲を実質上拡張又は変更に該当せず、また、新規事項の追加に当たらないことは明らかである。 
  
イ　訂正事項１４及び１５について 
（ア）訂正の目的について 
　訂正事項１４及び１５は、特許請求の範囲の訂正事項１のうち、固形農薬組成物に「（ｅ）ポリアクリル酸塩を含有する」ことを加入する訂正に伴い、明細書の段落【００４６】及び【００４８】において、ポリアクリル酸塩を含有しないため訂正後の請求項１に係る発明の具体例でなくなった「実施例２」及び「実施例３」を「参考例２」及び「参考例３」と訂正し、また、「本発明の粒状農薬組成物」を「粒状農薬組成物」とする訂正であるから、明瞭でない記載の釈明を目的とするものに該当する。 
（イ）実質上の特許請求の範囲の拡張・変更、新規事項の追加について 
　上記（１）イ（イ）及び（ウ）で述べたとおり、訂正事項１が、実質上の特許請求の範囲を拡張・変更せず、また、新規事項の追加もないから、訂正事項１４及び１５も、特許請求の範囲を実質上拡張又は変更に該当せず、また、新規事項の追加に当たらないことは明らかである。 
ウ　訂正事項１６、１７、１９〜２１について 
（ア）訂正の目的について 
　訂正事項１６、１７、１９〜２１は、訂正事項１４により、明細書の段落【００４６】において、「実施例２」が「参考例２」と訂正されたことに伴い、明細書の段落【００５０】、【００５３】、【００５７】、【００５８】及び【００６０】において、「実施例２」を「参考例２」とする訂正であるから、明瞭でない記載の釈明を目的とするものに該当する。 
（イ）実質上の特許請求の範囲の拡張・変更、新規事項の追加について 
　上記イ（イ）で述べたとおり、訂正事項１４が、実質上の特許請求の範囲を拡張・変更せず、また、新規事項の追加もないから、訂正事項１６、１７、１９〜２１も、特許請求の範囲を実質上拡張又は変更に該当せず、また、新規事項の追加に当たらないことは明らかである。 
エ　訂正事項１８について 
（ア）訂正の目的について 
　訂正事項１８は、特許請求の範囲の訂正事項１のうち、固形農薬組成物に「（ｅ）ポリアクリル酸塩を含有する」ことを加入する訂正に伴い、明細書の段落【００５６】において、ポリアクリル酸塩を含有しないため訂正後の請求項１に係る発明の具体例でなくなった「実施例６」を「参考例６」と訂正し、また、「本発明の粒状農薬組成物」を「粒状農薬組成物」と訂正し、さらに、訂正事項１４により、明細書の段落【００４６】において、「実施例２」が「参考例２」と訂正されたことに伴い、明細書の段落【００５６】において、「実施例２」を「参考例２」とする訂正であるから、明瞭でない記載の釈明を目的とするものに該当する。 
（イ）実質上の特許請求の範囲の拡張・変更、新規事項の追加について 
　上記（１）イ（イ）及び（ウ）で述べたとおり、訂正事項１が、実質上の特許請求の範囲を拡張・変更せず、また、新規事項の追加もなく、また、同様に、上記イ（イ）で述べたとおり、訂正事項１４が、実質上の特許請求の範囲を拡張・変更せず、また、新規事項の追加もないから、訂正事項１８も、特許請求の範囲を実質上拡張又は変更に該当せず、また、新規事項の追加に当たらないことは明らかである。 
オ　訂正事項２２及び２３について 
　訂正事項２２及び２３は、訂正事項１８により、明細書の段落【００５６】において、「実施例６」が「参考例６」と訂正されたことに伴い、明細書の段落【００６１】及び【００６２】において、「実施例６」を「参考例６」とする訂正であるから、明瞭でない記載の釈明を目的とするものに該当する。 
（イ）実質上の特許請求の範囲の拡張・変更、新規事項の追加について 
　上記エ（イ）で述べたとおり、訂正事項１８が、実質上の特許請求の範囲を拡張・変更せず、また、新規事項の追加もないから、訂正事項２２及び２３も、特許請求の範囲を実質上拡張又は変更に該当せず、また、新規事項の追加に当たらないことは明らかである。 
カ　訂正事項２４について 
（ア）訂正の目的について 
　訂正事項２４は、特許請求の範囲の訂正事項１のうち、固形農薬組成物に「（ｅ）ポリアクリル酸塩を含有する」ことを加入する訂正に伴い、明細書の段落【００４６】及び【００４８】において、ポリアクリル酸塩を含有しないため訂正後の請求項１に係る発明の具体例でなくなった実施例２及び３を削除するために、【００６３】の「実施例２〜５」という記載を「実施例４〜５」と訂正し、また、同様に、明細書の段落【００５６】において、ポリアクリル酸塩を含有しないため訂正後の請求項１に係る発明の具体例でなくなった実施例６という記載を削除するために、さらに、訂正前の実施例６で用いられた粒状農薬組成物の成分を変更した比較例４及び５という記載を削除するために、「実施例６および比較例４、５で製造した粒状農薬組成物各２０ｍｇ」という記載を削除した訂正であるから、明瞭でない記載の釈明を目的とするものに該当する。 
（イ）実質上の特許請求の範囲の拡張・変更、新規事項の追加について 
　上記（１）イ（イ）及び（ウ）で述べたとおり、訂正事項１が、実質上の特許請求の範囲を拡張・変更せず、また、新規事項の追加もないから、訂正事項２４も、特許請求の範囲を実質上拡張又は変更に該当せず、また、新規事項の追加に当たらないことは明らかである。 
キ　訂正事項２５について 
（ア）訂正の目的について 
　訂正事項２５は、訂正事項２４において、明細書の段落【００６３】の「実施例２〜５」を「実施例４〜５」と訂正したことに伴い、【００６４】の第１表において、実施例２及び３の項目を削除する訂正と、訂正事項２４において、明細書の段落【００６３】の実施例６並びに比較例４及び５の記載を削除した訂正に伴い、実施例６並びに比較例４及び５が記載された第２表を削除する訂正であるから、明瞭でない記載の釈明を目的とするものに該当する。 
（イ）実質上の特許請求の範囲の拡張・変更、新規事項の追加について 
　上記カ（イ）で述べたとおり、訂正事項２４が、実質上の特許請求の範囲を拡張・変更せず、また、新規事項の追加もないから、訂正事項２５も、特許請求の範囲を実質上拡張又は変更に該当せず、また、新規事項の追加に当たらないことは明らかである。 
ケ　明細書の訂正に係る請求項について 
　上述のとおり、訂正事項１〜６を含む請求項１〜６に係る訂正は、願書に添付した明細書に係る訂正事項７〜２５と関係し、訂正事項７〜２５と関係するすべての一群の請求項である請求項１〜６が訂正請求の対象とされている。 
　したがって、本件訂正は、特許法第１２０条の５第９項で準用する同法第１２６条第４項の規定に適合する。
（３）小括 
　以上のとおりであるから、本件訂正の請求による訂正は、特許法第１２０条の５第２項ただし書第１号及び第３号に掲げる事項を目的とするものであり、かつ、同条第４項及び第９項において準用する同法第１２６条第４項ないし第６項の規定に適合する。 
　よって、訂正請求書に添付された訂正明細書及び訂正特許請求の範囲のとおり、訂正後の請求項〔１〜６〕について訂正することを認める。 
第３　本件発明 
　上記のとおり、本件訂正は認められるので、特許第５９５４５２２号の請求項１〜６に係る発明（以下「本件発明１」〜「本件発明６」といい、これらをまとめて「本件発明」ともいう。）は、訂正後の特許請求の範囲の請求項１〜６に記載された事項により特定される以下のとおりのものである。
「【請求項１】 
　（ａ）ブタクロール、（ｂ）ポリオキシエチレンアリールフェニルエーテル系界面活性剤、（ｃ）ジアルキルスルホコハク酸塩、（ｄ）カルボキシメチルセルロースナトリウムおよび（ｅ）ポリアクリル酸塩を含有する固形農薬組成物（但し、水溶性フィルムに内包されている農薬組成物を除く。）。
【請求項２】（削除）
【請求項３】
　（ｂ）の界面活性剤が、ポリオキシエチレンアリールフェニルエーテルリン酸、ポリオキシエチレンアリールフェニルエーテル硫酸またはそれらの塩である請求項１記載の固形農薬組成物。 
【請求項４】（削除）
【請求項５】（削除）
【請求項６】
　固形農薬組成物が、粒状である請求項１または３記載の固形農薬組成物。」 
第４　取消理由通知（決定の予告）の概要  
　当審が取消理由通知（決定の予告）で通知した取消理由のうち理由１の概要は、以下のとおりである。  
理由１　平成２９年５月２２日付け訂正請求により訂正された本件請求項１、３、４及び６に係る発明は、下記の点で、特許請求の範囲に記載された特許を受けようとする発明が発明の詳細な説明に記載されたものであるとはいえないから、特許請求の範囲の記載が特許法第３６条第６項第１号に適合するものではない。  
　よって、平成２９年５月２２日付け訂正請求により訂正された本件請求項１、３、４及び６に係る発明の特許は、同法第３６条第６項の規定を満たさない特許出願に対してなされたものであり、同法第１１３条第４号の規定により取り消されるべきものである。 
　　　　　　　　　　　　　　　　　記 
　平成２９年５月２２日付け訂正請求により訂正された本件請求項１、３、４及び６に係る発明が解決しようとする課題は、水溶解度が極めて低い農薬活性成分であっても、水中での崩壊性、拡展性及び分散性が改良され、農薬活性成分の水中溶出性をより向上させた固形農薬組成物を提供することにあるものと認められるところ、カルボキシメチルセルロース塩について、実際に、実施例として、上記課題が解決できたことが記載されているのは、カルボキシメチルセルロース塩が、「セロゲン６Ａ（商品名、第一工業製薬（株）製）」のみであって、カルボキシメチルセルロース塩の分子量の違いによって、農薬固形製剤の水中での崩壊性が異なることは技術常識であるから、すべてのカルボキシメチルセルロース塩についてこれらの課題が解決できた固形農薬組成物が得ることができるとはいえない。 
　なお、本件発明１、３及び６（本件訂正（平成２９年１０月２３日付け訂正請求による訂正）により訂正された請求項１、３及び６に係る発明）は、平成２９年５月２２日付け訂正請求により訂正された請求項１、３及び６に係る発明を減縮しつつ、それぞれ対応した発明である。
第５　当審の判断  
　当審は、上記取消理由（理由１）について、以下のとおり判断する。
１　特許法第３６条第６項第１号について  
　特許法第３６条第６項は、「第二項の特許請求の範囲の記載は、次の各号に適合するものでなければならない。」と規定し、その第１号において「特許を受けようとする発明が発明の詳細な説明に記載したものであること。」と規定している。同号は、明細書のいわゆるサポート要件を規定したものであって、特許請求の範囲の記載が明細書のサポート要件に適合するか否かは、特許請求の範囲の記載と発明の詳細な説明の記載とを対比し、特許請求の範囲に記載された発明が、発明の詳細な説明に記載された発明で、発明の詳細な説明の記載により当業者が当該発明の課題を解決できると認識できる範囲のものであるか否か、また、その記載や示唆がなくとも当業者が出願時の技術常識に照らし当該発明の課題を解決できると認識できる範囲のものであるか否かを検討して判断すべきものである。
　よって、この観点に立って検討する。  
２　特許請求の範囲の記載
　上記「第３」に記載したとおりである。  
３　発明の詳細な説明の記載  
　本件特許明細書の発明の詳細な説明には、以下の事項が記載されている。  
（ａ）「【０００２】 
　粒状農薬組成物は安全性の高い製剤形態であるが、農薬活性成分の水溶解度が極めて低い場合、粒状農薬組成物中から農薬活性成分を水中にすばやく溶出させることが難しく、満足できる薬効が得られない場合がある。これらの問題点を解決するためには、粒状組成物からの農薬活性成分の水中溶出性を向上させる必要があり、そのための種々の試みがなされている。」 
（ｂ）「【０００５】  
　しかしながら、上記のいずれの方法を用いても、農薬活性成分の水溶解度や溶剤に対する水溶解度が極めて低い場合には、粒状農薬組成物からの農薬活性成分の溶出性を向上させる効果が未だ不十分であり、実用上問題があった。」  
（ｃ）「【００１３】  
　本発明の固形農薬組成物は、従来のものと比べて水中での崩壊性、拡展性及び分散性が改良され、農薬活性成分の水中溶出性をより向上させることができる。」  
（ｄ）「【００１５】  
　本発明で使用される（b）の界面活性剤とは、以下の（１）〜（６）の界面活性剤である。  
【００１６】  
　（１）ポリオキシエチレンアリールフェニルエーテル：例えば、ポリオキシエチレン（モノ、ジまたはトリ）フェニルフェニルエーテル、ポリオキシエチレン（モノ、ジまたはトリ）ベンジルフェニルエーテルおよびポリオキシエチレン（モノ、ジまたはトリ）スチリルフェニルエーテルが挙げられる。  
・・・
【００１８】  
　（３）ポリオキシエチレンアリールフェニルエーテル硫酸およびその塩：例えば、ポリオキシエチレン（モノ、ジまたはトリ）フェニルフェニルエーテル硫酸、ポリオキシエチレン（モノ、ジまたはトリ）ベンジルフェニルエーテル硫酸エステル、ポリオキシエチレン（モノ、ジまたはトリ）スチリルフェニルエーテル硫酸エステルおよびそれらの塩が挙げられる。  
・・・
【００２０】  
　（５）ポリオキシエチレンアリールフェニルエーテルリン酸およびその塩：例えば、ポリオキシエチレン（モノ、ジまたはトリ）フェニルフェニルエーテルリン酸エステル、ポリオキシエチレン（モノ、ジまたはトリ）ベンジルフェニルエーテルリン酸エステル、ポリオキシエチレン（モノ、ジまたはトリ）スチリルフェニルエーテルリン酸エステルおよびそれらの塩が挙げられる。  
・・・
【００２２】  
　上記の（１）〜（６）における塩の対イオンとしては、アルカリ金属（リチウム、ナトリウムおよびカリウム等）、アルカリ土類金属（カルシウムおよびマグネシウム等）、アンモニウムおよび各種アミン（例えばアルキルアミン、シクロアルキルアミンおよびアルカノールアミン等）等が挙げられる。  
【００２３】  
　（b）の界面活性剤の中で好ましいものは、ポリオキシエチレンアリールフェニルエーテルリン酸、・・・ポリオキシエチレンアリールフェニルエーテル硫酸、・・・およびそれらの塩であり、特に好ましいものはポリオキシエチレンアリールフェニルエーテル硫酸・・・およびそれらの塩である。」
（ｅ）「【００２４】  
　本発明で使用される（c）スルホネート系界面活性剤とは、スルホン酸基を有する界面活性剤であり、例えば、・・・ジアルキル（例えばＣ８〜１２）スルホコハク酸、・・・並びにそれらスルホン酸の塩が挙げられる。該塩の対イオンとしては、アルカリ金属（リチウム、ナトリウムおよびカリウム等）、アルカリ土類金属（カルシウムおよびマグネシウム等）、アンモニウムおよび各種アミン（例えばアルキルアミン、シクロアルキルアミンおよびアルカノールアミン等）等が挙げられる。」  
（ｆ）「【００２６】
　本発明で使用される（d）カルボキシメチルセルロース塩の対イオンとしては、アルカリ金属（リチウム、ナトリウムおよびカリウム等）、アルカリ土類金属（カルシウムおよびマグネシウム等）、アンモニウムおよび各種アミン（例えばアルキルアミン、シクロアルキルアミンおよびアルカノールアミン等）等が挙げられる。この中で好ましい対イオンはアルカリ金属であり、より好ましいものはナトリウムである。
【００２７】  
　（d）カルボキシメチルセルロース塩の具体例としては、例えばセロゲン７０１A、セロゲン７０３A、セロゲン５A、セロゲン６A、セロゲン７A、セロゲンPR、セロゲンWS-A、セロゲンPL-１５、セロゲンWS-CN、セロゲンWS-C、セロゲンWS-D、セロゲンBS、セロゲンBS−H、セロゲンBSH−３、セロゲンBSH−４、セロゲンBSH−５、セロゲンBSH−６、セロゲンBSH−１０、セロゲンBSH−１２、セロゲン６HS９、セロゲンEPおよびセロゲンHE−１５００F（以上、商品名／第一工業製薬（株）製）、サンローズF１０LC、サンローズF２０LC、サンローズF０１MC、サンローズF１０MC、サンローズF３０MC、サンローズF５０MC、サンローズFT−１、サンローズFT−３、サンローズ０４HC、サンローズFT−８、サンローズF２０HC、サンローズAPP−８４、サンローズA０２SH、サンローズA０４SH、サンローズA１０SH、サンローズA２０SH、サンローズA１００SH、サンローズPN０１L、サンローズPN０５L、サンローズPN２０L、サンローズSN０１L、サンローズSN３０C、サンローズSN６０C、サンローズSN８０C、サンローズB１B、サンローズB３B、Hi−サンローズH−７５５およびサンローズSLD−F1（以上、商品名／日本製紙ケミカル（株）製）等が挙げられる。」  
（ｇ）「【００３０】
　（b）の含有量は、固形農薬組成物１００重量部に対し1〜10重量部であることが望ましい。（c）の含有量は、固形農薬組成物１００重量部に対し０．１〜5重量部であることが望ましい。（d）の含有量は、固形農薬組成物１００重量部に対し1〜10重量部であることが望ましい。（e）の含有量は、固形農薬組成物１００重量部に対し０．１〜5重量部であることが望ましい。」
（ｈ）「【００３４】  
　本発明で使用される農薬活性成分としては、例えば以下のものが挙げられる。  
【００３５】  
　除草剤：・・・ブタクロール（butachlor）、・・・等。」
（ｉ）「【００４１】
　これらの農薬活性成分は単独でまたは２種以上混合して使用することができ、混合する場合の比も自由に選択できる。農薬活性成分の含有量は適宜選択できるが、固形農薬組成物１００重量部に対して０．１〜５０重量部の範囲が好ましい。」
（ｊ）「【００４５】  
　〔実施例１〕  
　約５ミクロン程度に微粉砕したピラゾスルフロンエチル（一般名、スルホニルウレア系除草活性成分）４．３部、Ｈ微粉（商品名、啓和炉材（株）製、二酸化ケイ素）６５．７部および石油系パラフィンワックス（融点６９〜７２℃）３０．０部を、約１００℃でニーダーを用いて溶融、混練した。その後、約７５℃まで冷却し、直径１．２mmの穴を有するスクリーンにて押出造粒し、これをピンミルで粉砕して、ピラゾスルフロンパラフィンプレミックスを得た。  
【００４６】  
　〔参考例２〕  
　ブタクロール（一般名、クロロアセトアニリド系除草活性成分）７．８８部、ピラゾスルフロンエチルパラフィンプレミックス７．１４部、セロゲン６A（商品名 、第一工業製薬（株）製、カルボキシメチルセルロースナトリウム）５．００部、マイクロセルＥ（商品名、セライトコーポレーション製、吸収剤）５．００部、クニゲルＶ２（商品名 、クニミネ工業（株）製、ベントナイト）５．００部、ネオキャリアＫ（商品名、浅田製粉（株）製、クレー）６５．５６部を均一混合した後、エアロールＣＴ-１Ｌ（商品名、東邦化学工業（株）製、ジオクチルスルホコハク酸ナトリウム塩）１．５０部、ソルポール７５５６（商品名、東邦化学工業（株）製　ポリオキシエチレンジスチリルフェニルエーテルサルフェートナトリウム塩）９．００部＊１と水を加えて混練し、次いで口径１．０ｍｍのスクリーンを装着した押出式造粒機を用いて造粒した。５０℃で乾燥後、０．７１ ｍｍ〜１．４０ ｍｍの篩で整粒して粒状農薬組成物を得た。  
【００４７】  
　＊１　ポリオキシエチレンジスチリルフェニルエーテルサルフェートナトリウム塩として３．１５部である。  
・・・
【００５０】  
　〔実施例４〕  
　ソルポール７５５６　９．００部、マイクロセルＥ　５．００部、クニゲルＶ２　５．００部、ネオキャリアK　６５．５６部の代わりに、アグリゾールＧ−２００（商品名、花王（株）製、ポリアクリル酸ナトリウム塩）１０．０部＊３、ニューカルゲンNX−６１１５　４．００部＊４、マイクロセルＥ　４．００部、クニゲルＶ２　２５．００部、ソーダ灰ライト（商品名、トクヤマ（株）製、炭酸ナトリウム）１．００部およびネオキャリアK　４１．６１部を用いた以外は、参考例２と同様の方法にて製造し、本発明の粒状農薬組成物を得た。  
【００５１】  
　＊３　ポリアクリル酸ナトリウム塩として３．１０部である。  
【００５２】  
　＊４　ポリオキシエチレンスチリルフェニルエーテルサルフェートアンモニウム塩として２．００部である。  
【００５３】  
　〔実施例５〕  
　ソルポール７５５６　９．００部、エアロールＣＴ-１Ｌ　１．５０部、マイクロセルＥ　５．００部、クニゲルＶ２　５．００部、ネオキャリアK　６５．５６部の代わりに、アグリゾールＧ−２００　３．００部＊５、ソルポール７５５６　７．００部＊６、エアロールＣＴ-１Ｌ　２．００部、マイクロセルＥ　７．００部、クニゲルＶ２　２５．００部、ソーダ灰ライト　１．００部およびネオキャリアK　４１．９０部を用いた以外は、参考例２と同様の方法にて製造し、本発明の粒状農薬組成物を得た。  
【００５４】  
　＊５　ポリアクリル酸ナトリウム塩として０．９３部である。  
【００５５】  
　＊６　ポリオキシエチレンジスチリルフェニルエーテルサルフェートナトリウム塩として２．４５部である。  
・・・
【００５７】
　〔比較例１〕
　セロゲン６AをパインデクッスＹ（商品名 、松谷化学工業（株）製、デキストリン）に変更した以外は、参考例２と同様の方法にて製造し、粒状農薬組成物を得た。
【００５８】
　〔比較例２〕
　ソルポール７５５６  ９．００部、ネオキャリアK  ６５．５６部の代わりに、アグリゾールＧ−２００  １０．００部＊７、およびネオキャリアK  ６４．５６部を用いた以外は、参考例２と同様の方法にて製造し、粒状農薬組成物を得た。
【００５９】
　＊７  ポリアクリル酸ナトリウム塩として３．１０部である。
【００６０】
　〔比較例３〕
　エアロールＣＴ-１Ｌ  １．５０部、ネオキャリアK  ６５．５６部の代わりに、ネオキャリアK  ６７．０６部を用いた以外は、参考例２と同様の方法にて製造し、粒状農薬組成物を得た。」  
（ｋ）「【００６３】  
　〔試験例１〕　農薬活性成分の水中溶出試験  
　実施例４〜５および比較例１〜３で製造した粒状農薬組成物各１００ｍｇを１リットルの水を入れたビーカーに投入し、経時的にビーカーの中央部から溶液の一部を採取して、ＨＰＬＣ（高速液体クロマトグラフ）により２４時間後に水中に溶出した農薬活性成分量を定量し、下記の式より、水中溶出率を算出した。  
結果は第１表に示す。  
【００６４】  
　　水中溶出率（％）＝（Ａ／Ｂ）×１００  
　　　　　　Ａ：水中に溶出した農薬活性成分量  
　　　　　　Ｂ：粒状農薬組成物中の農薬活性成分含有量  
　　　　　　　　　　　　第１表  
　　――――――――――――――――――――  
　　　　　　　　　　ブタクロールの水中溶出率％  
　　――――――――――――――――――――  
　　　　　実施例４　　　　　　６２％  
　　　　　実施例５　　　　　　５５％  
　　　　　比較例１　　　　　　４４％  
　　　　　比較例２　　　　　　２１％  
　　　　　比較例３　　　　　　３７％  
　　―――――――――――――――――――― 」  
４　甲号証の記載事項  
（１）甲第１２号証の記載事項  
　甲第１２号証：特開２００１−３９８０１号公報  
　甲第１２号証には、以下の事項が記載されている。  
（１２ａ）「【特許請求の範囲】
【請求項１】分子中にエチレングリコールとプロピレングリコールとをブロック状に含有するポリアルキレングリコール型非イオン界面活性剤を配合して高濃度の農薬有効成分を含有する懸濁液を湿式粉砕し、得られた懸濁液を練り込み造粒することにより得られる高濃度農薬固形製剤。」
（１２ｂ）「【発明の詳細な説明】
【０００１】
【発明の属する技術分野】本発明は、分子中にエチレングリコールとプロピレングリコールとをブロック状に含有するポリアルキレングリコール型非イオン界面活性剤を配合して高濃度の農薬有効成分を含有する懸濁液（スラリー）を湿式粉砕し、得られた懸濁液を練り込み造粒することにより得られる高濃度農薬固形製剤・・・に関する。
・・・
【００１１】
【発明が解決しようとする課題】本発明者等は、上記のような現状に鑑み、できるだけ高濃度の農薬有効成分を懸濁状態で湿式粉砕することができ、しかも、特に、水田投げ込み用農薬製剤を製造する場合に、水田に投げ込んだ際に、製剤の水面での拡展性に悪影響を与えないような粉砕助剤を求めて鋭意検討を加えた。その結果、分子中にエチレングリコールとプロピレングリコールとをブロック状に含有するポリアルキレングリコール型非イオン界面活性剤を、配合すること（好ましくは、少量）により、高濃度の農薬有効成分を含有する懸濁液を、ゲル化させることなく、低粘度で粉砕でき、かつ得られた粉砕懸濁液を練りこんで造粒した水田投げ込み用農薬製剤に含有される水面拡展剤に悪影響を及ぼさず、該水田投げ込み用農薬製剤が良好な拡展性を示すことを見出し、本発明を完成した。」
（１２ｃ）「【００４４】本発明の高濃度農薬固形製剤は、粉末原料を造粒して高濃度農薬固形製剤を調製する場合に、製剤に硬度を付与するために結合剤を含有することができる。用いられる結合剤は、高濃度農薬固形製剤が水中で崩壊した方が好ましいか、崩壊しない方が好ましいかにより異なるが、崩壊した方が好ましい場合には、例えば、比較的低分子量の、デキストリン、ポリビニルピロリドン、ポリアクリル酸の塩若しくはカルボキシメチルセルロースの塩、比較的低分子量で鹸化率の低いポリビニルアルコール、リグニンスルホン酸の塩、アラビアゴム等の水溶性高分子物質又はベントナイト等のモンモリロナイト系の鉱物質微粉であり得、好適には、低分子量のデキストリン、低分子量のカルボキシメチルセルロースの塩、リグニンスルホン酸の塩又はベントナイトであり、崩壊しない方が好ましい場合には、例えば、澱粉；水溶性澱粉、デキストリン、α化澱粉、その他種々の澱粉誘導体；又は比較的高分子量の、ポリビニルピロリドン、ポリアクリル酸の塩、カルボキシメチルセルロースの塩若しくはポリビニルアルコールであり得、好適には、水溶性澱粉、デキストリン、α化澱粉又はその他の澱粉誘導体である。
【００４５】用いられる結合剤の配合量は、処方構成や造粒方法、粒の大きさ等によって異なるが、通常、高濃度農薬固形製剤中に、０．１〜３０質量％であり、好適には、０．５〜２０質量％である。」  
（１２ｄ）「【００４６】本発明の高濃度農薬固形製剤は、粒を水中で崩壊させ、有効成分を水中に懸濁・分散させるために崩壊・分散剤を含有することができる。用いられる崩壊・分散剤は、多くの場合、好適には、アニオン界面活性剤である。用いられる崩壊・分散剤は、共通のものであり得、これらの崩壊・分散剤は、湿潤剤としても有用な場合が多い。崩壊・分散剤及び湿潤剤はこれらに限らず、ノニオン性、カチオン性又は両性イオン性の界面活性剤であっても、適当なものであり得る。また、澱粉、カルボキシメチルセルロース、カルボキシメチル化澱粉及びこれらの塩、ポリビニルピロリドンの架橋体、微結晶セルロース及び高吸水性樹脂等の水を吸収して膨張する性質を有するものを崩壊剤として使用できる。
【００４７】これら崩壊・分散剤、崩壊剤又は湿潤剤の配合量は、通常、高濃度農薬固形製剤中に、０．０１〜３０質量％であり、好適には、０．０３〜２０質量％であり、より好適には、０．０５〜１０質量％である。」
（２）甲第１４号証の記載事項  
　甲第１４号証：カルボキシメチルセルロース　セロゲン○Ｒ（注：Ｒが○で囲まれている。）　総合カタログ、　第一工業製薬株式会社  
　甲第１４号証には、以下の事項が記載されている。  
（１４ａ）「カルボキシメチルセルロースナトリウム　セロゲンについて・・・」の項目の下、
「セロゲンは、化学名をカルボキシメチルセルロースナトリウムという、セルロールを主原料にした代表的なアニオン性の水溶性高分子で、一般には、ＣＭＣ（省略）とよばれています。」（第１頁第１〜４行）と記載されている。
（１４ｂ）「セロゲンの主な品種」の項目とともに
「  
」（第３頁上段）と記載されている。
（１４ｃ）「セロゲン水溶液の性質」という項目の下「セロゲンの粘度」の中で、
「［１．粘度と平均重合度］
　セロゲンの粘度は主として、構造の骨格をなしているセルロース鎖の平均重合度に支配されます。代表的なセロゲンの平均重合度と平均分子量については表２に示します。
」（第１２頁下段）と記載されている。
５　本件発明の課題  
　発明の詳細な説明には、「農薬活性成分の水溶解度や溶剤に対する水溶解度が極めて低い場合には、粒状農薬組成物からの農薬活性成分の溶出性を向上させる効果が未だ不十分であり、実用上問題があった」ことが記載され（摘記（ｂ）参照）、農薬活性成分としてブタクロールが記載され（摘記（ｈ））、上記問題を解決するために、本件発明の「固形農薬組成物は、従来のものと比べて水中での崩壊性、拡展性及び分散性が改良され、農薬活性成分の水中溶出性をより向上させることができる」ことが記載されている（摘記（ｃ）参照）。  
　そうすると、本件発明が解決しようとする課題は、「ブタクロールの水中での崩壊性、拡展性及び分散性が改良され、農薬活性成分の水中溶出性をより向上させた固形農薬組成物を提供すること」にあるものと認められる。  
６　判断  
（１）本件発明１について
　本件発明１である固形農薬組成物を構成する成分のうち「（ｄ）カルボキシメチルセルロースナトリウム」について、発明の詳細な説明には、使用されるカルボキシメチルセルロース塩の具体例として、「セロゲン」と数字やアルファベットを組み合わせた表記の商品名が数多く例示されている（摘記（ｆ）参照）。この商品名のセロゲンについて、カタログである甲第１４号証をみてみると、セロゲンはカルボキシメチルセルロースナトリウムであると記載されている（摘記（１４ａ））から、「セロゲン」と数字やアルファベットを組み合わせた表記のカルボキシメチルセルロース塩は、カルボキシメチルセルロースナトリウムであると解することができる。
　そして、発明の詳細な説明に記載の実施例において、ブタクロールの水中溶出性が向上していることを具体的なデータと共に確認した固形農薬組成物は、カルボキシメチルセルロースナトリウムとして、「セロゲン６Ａ（商品名、第一工業製薬（株）製）」を使用したものだけである（摘記（ｊ）（ｋ）参照）。
　ここで、甲第１２号証には、水田投げ込み用農薬固形製剤が良好な拡展性を示すことを課題の１つとする非イオン界面活性剤を含む高濃度農薬固形製剤が記載されており（摘記（１２ａ）（１２ｂ））、この農薬固形製剤を水中で崩壊させ、有効成分を水中に懸濁・分散させるために更なる界面活性剤が例示される崩壊・分散剤を農薬固形製剤中により好適には０．０５〜１０質量％含有することができることが記載され（摘記（１２ｄ））、また、農薬固形製剤に硬度を付与するため結合剤を配合すること、そして、この結合剤の具体例としてカルボキシメチルセルロース塩が例示され、好適には０．５〜２０質量％含有することができるという一般記載がなされ、この結合剤としてカルボキシメチルセルロース塩を使用する場合、低分子量であれば、農薬固形製剤が水中で崩壊しやすく、高分子量になると、農薬固形製剤が水中で崩壊しにくくなることが記載されている（摘記（１２ｃ））。
　このように、甲第１２号証によれば、複数の界面活性剤や結合剤としてカルボキシメチルセルロース塩を本件発明において望ましい量と同程度含み、有効成分を水中で良好に懸濁・分散する農薬固形製剤において、カルボキシメチルセルロース塩の分子量が、低分子量であれば農薬固形製剤が水中で崩壊しやすく、高分子量になると農薬固形製剤が水中で崩壊しにくくなることが技術常識として理解できるといえる。
　また、甲第１４号証には、本件特許明細書の発明の詳細な説明に記載された上記カルボキシメチルセルロースナトリウムの商品名「セロゲン」が、その種類ごとに粘度が異なることが記載され（摘記（１４ｂ））、実施例で具体的に使用されているセロゲン６Ａの粘度の値は、他の種類のセロゲンと比べて低い粘度であることが示されているといえ、さらに、セロゲンの粘度は、セルロース鎖の平均重合度に支配され、甲第１４号証の表２をみると、粘度が大きい値であるほど分子量が大きくなることが示されている（摘記（１４ｃ））ことからみれば、「セロゲン６Ａ」は、比較的低粘度すなわち低分子量のカルボキシメチルセルロースナトリウムであると解することができる。
　そうすると、比較的低粘度であり低分子量であると解されるカルボキシメチルセルロースナトリウムである「セロゲン６Ａ」を使用した場合に、ブタクロールの水中溶出性が向上していることが具体的データと共に示され、本件発明１の課題が解決できると認識できたとしても、高分子量のカルボキシメチルセルロースナトリウムを使用する場合には、農薬固形製剤が水中で崩壊しにくくなることが技術常識により認識されるといえることから、低分子量のカルボキシメチルセルロースナトリウムを配合した場合と同様にブタクロールの良好な水中溶出性が得られるとは当業者が理解できるとはいえない。  
　したがって、本件発明１の「（ｄ）カルボキシメチルセルロースナトリウム」について、いかなる分子量のカルボキシメチルセルロースナトリウムであったとしても、「ブタクロールの水中での崩壊性、拡展性及び分散性が改良され、農薬活性成分の水中溶出性をより向上させた固形農薬組成物」を提供するとの課題を解決できると当業者が認識できるように発明の詳細な説明に記載されているとはいえない。  
（２）特許権者の主張について 
　審判請求人は、平成２９年５月２２日付け意見書において、一般に、界面活性剤は、乳化、可溶化、水和、分散、付着、拡展、浸透、崩壊、潤滑などの諸効果のために農薬製剤のあらゆる剤型に使用されるものであり、本件発明における農薬活性成分の水中の溶出性は、（ｄ）カルボキシメチルセルロース塩成分だけでなく、他の成分も影響しており、本件発明は、（ｂ）〜（ｅ）の組合せを採用したことにより、上記した課題を解決できたものである旨を主張する（平成２９年５月２２日付け意見書第７頁第９行〜第８頁第３行）（以下「主張ア」という。）。
　また、平成２９年１０月２３日付け意見書において、甲第１２号証及び甲第１４号証の記載、並びに、本件訂正明細書の記載、特に段落【００６４】の記載に接した当業者であれば、本件発明の水中での崩壊性、拡展性及び分散性が改良され、農薬活性成分の水中溶出性をより向上させた固形農薬組成物が得られるとの課題を解決するためには、本件発明のカルボキシメチルセルロースナトリウムとして、セロゲン６Ａと同程度の分子量を有するものを採用することが理解できるから、本件発明のカルボキシメチルセルロースナトリウムについて、本件発明の課題を解決できるように発明の詳細な説明に記載がされていると認識できるとも主張する（平成２９年１０月２３日付け意見書第６頁第６行〜第７頁第１７行）（以下「主張イ」という。）。
（３）特許権者の主張の検討 
ア　主張アについて 
　一般に、界面活性剤は、乳化、可溶化、水和、分散、付着、拡展、浸透、崩壊、潤滑などの諸効果のためにあらゆる剤型の農薬製剤に使用され、本件発明１の（ｂ）、（ｃ）及び（ｅ）成分がこれらの効果のために農薬製剤に配合されていることが技術常識であったとしても、このことはあくまで一般的な界面活性剤の個々の効果を示しただけであり、具体的に（ｂ）〜（ｅ）成分を組合せて用いることにより、本件発明の「ブタクロールの水中での崩壊性、拡展性及び分散性が改良され、農薬活性成分の水中溶出性をより向上させた固形農薬組成物を提供すること」という課題を解決できると当業者が認識できるとまではいえない。
　そして、本件特許明細書の発明の詳細な説明においては、低分子量のカルボキシメチルセルロースナトリウムを用いて（ｂ）〜（ｅ）成分を組み合わせた場合に、本件発明の課題が解決できたことが具体的なデータと共に示されているだけであり、高分子量のカルボキシメチルセルロースナトリウムを使用する場合には、農薬固形製剤が水中で崩壊しにくくなることが技術常識により認識されるといえることから、どのような分子量のカルボキシメチルセルロースナトリウムであっても（ｂ）、（ｃ）及び（ｅ）成分が組み合わせて用いられていれば、同様の効果を奏するとまではいえないことは、上記（１）で述べたとおりであり、本件発明において、どのような分子量のカルボキシメチルセルロースナトリウムを用いた場合であっても、（ｂ）〜（ｅ）の組合せを採用すれば、上記した課題を解決できたものであると当業者が認識できるということはできない。 
　したがって、主張アは採用できない。 
イ　主張イについて
　審判請求人が主張するように本件発明１のカルボキシメチルセルロースナトリウムとして、セロゲン６Ａと同程度の分子量を有するものを採用することにより、本件発明の課題が解決できることが認識できるとしても、これは、特許請求の範囲に記載された発明のうち一部の態様において本件発明の課題が解決できることを認識できたことにすぎず、特許請求の範囲に記載された発明の全般にわたり、当業者が出願時の技術常識に照らし当該発明の課題を解決できると認識できるものであるとはいえないから、審判請求人の主張によりサポート要件が解消しているとはいえない。
　したがって、主張イは採用できない。
（４）本件発明３及び６について
　本件発明３及び６は、本件発明１を引用した固形農薬組成物の発明であって、（ｄ）成分として「カルボキシメチルセルロースナトリウム」を含有する点において本件発明１と同じであるから、上記（１）で述べた理由と同じ理由によりサポート要件を満たすとはいえない。
７　まとめ  
　以上のとおり、本件発明１、３及び６は、特許請求の範囲に記載された特許を受けようとする発明が発明の詳細な説明に記載されたものであるとはいえないから、特許請求の範囲の記載は特許法第３６条第６項第１号に適合するものではない。  
　よって、本件発明１、３及び６に係る特許は、同法第３６条第６項の規定を満たさない特許出願に対してなされたものであり、同法第１１３条第４号の規定により取り消されるべきものである。  
第６　むすび 
　したがって、本件発明１、３及び６に係る特許は、特許法第３６条第６項の規定を満たさない特許出願に対してなされたものであり、同法第１１３条第４号の規定により取り消されるべきものである。  
　請求項２、４及び５は、訂正により、削除されたため、本件特許の請求項２、４及び５に対して、特許異議申立人がした特許異議の申立てについては、対象となる請求項が存在しない。 
　よって、結論のとおり決定する。
【異議決定日】
平成３０年１月１７日（２０１８．１．１７）
【訂正の要旨】
審決（決定）の【理由】欄参照。
（５４）【発明の名称】
水中への溶出が促進される固形農薬組成物
　【技術分野】
　【０００１】
　本発明は、水中での崩壊性、拡展性及び分散性が改良され、農薬活性成分の水中への溶出が促進される固形農薬組成物に関するものである。
　【背景技術】
　【０００２】
　粒状農薬組成物は安全性の高い製剤形態であるが、農薬活性成分の水溶解度が極めて低い場合、粒状農薬組成物中から農薬活性成分を水中にすばやく溶出させることが難しく、満足できる薬効が得られない場合がある。これらの問題点を解決するためには、粒状組成物からの農薬活性成分の水中溶出性を向上させる必要があり、そのための種々の試みがなされている。
　【０００３】
　例えば、２０℃における溶解度８０ｐｐｍ以下の水難溶性農薬活性成分、リグニンスルホン酸ナトリウム、ポリオキシエチレンポリオキシプロピレンブロックコポリマースチリルフェニルエーテル硫酸ナトリウム、ベントナイトおよび担体を粒剤中に含有することで農薬活性成分の溶出が促進されることが知られている（特許文献１参照）。また、農薬活性成分、ポリオキシアルキレンアリルフェニルエーテル系界面活性剤、スルホネート系界面活性剤およびポリカルボン酸系界面活性剤を粒状組成物中に含有することで農薬活性成分の溶出が促進されることが知られている（特許文献２参照）。さらに、ａ）農薬活性成分、ｂ）ナトリウムモンモリロナイト、カルボキシメチルセルロースナトリウム、およびｃ）アルキルベンセンスルホン酸塩、スルホコハク酸ジエステル型界面活性剤およびポリカルボン酸型界面活性剤から選ばれる群からなる界面活性剤の一種を粒剤中に含有することで高湿度条件下での保存において粒子硬度の低下が少なくなることが知られている（特許文献３参照）。
　【先行技術文献】
　【特許文献】
　【０００４】
　【特許文献１】特開２０００−１４３４０３号公報
　【特許文献２】特開２０１０−１３３８９号公報
　【特許文献３】特開平７−１７９３０２号公報
　【発明の概要】
　【発明が解決しようとする課題】
　【０００５】
　しかしながら、上記のいずれの方法を用いても、農薬活性成分の水溶解度や溶剤に対する水溶解度が極めて低い場合には、粒状農薬組成物からの農薬活性成分の溶出性を向上させる効果が未だ不十分であり、実用上問題があった。
　【課題を解決するための手段】
　【０００６】
　本発明は、以下の〔１〕
、〔３〕及び
　【０００７】
　〔１〕　（ａ）
ブタクロール
剤、
ジアルキルスルホコハク酸塩、
ナトリウムおよび（ｅ）ポリアクリル酸塩
（但し、水溶性フィルムに内包されている農薬組成物を除く。）
　【０００８】（削除）
　【０００９】
　〔３〕　（ｂ）の界面活性剤が、ポリオキシエチレンアリールフェニルエーテルリン酸
、ポ
酸ま
〕記
　【００１０】（削除）
　【００１１】（削除）
　【００１２】
　〔６〕　固形農薬組成物が、粒状である上記〔１〕
または〔３〕記
　【発明の効果】
　【００１３】
　本発明の固形農薬組成物は、従来のものと比べて水中での崩壊性、拡展性及び分散性が改良され、農薬活性成分の水中溶出性をより向上させることができる。
　【発明を実施するための形態】
　【００１４】
　本発明の固形農薬組成物としては、粉剤、粉粒剤、微粒剤、粒剤、水面に浮上し拡散する粒を水溶性フィルムで包装したジャンボ剤、使用時に水に希釈する水和剤や顆粒水和剤を挙げることができる。これらの中では、粒状農薬組成物である微粒剤、粒剤、ジャンボ剤および顆粒水和剤が好ましく、特に粒剤が好ましい。
　【００１５】
　本発明で使用される（ｂ）の界面活性剤とは、以下の（１）〜（６）の界面活性剤である。
　【００１６】
　（１）ポリオキシエチレンアリールフェニルエーテル：例えば、ポリオキシエチレン（モノ、ジまたはトリ）フェニルフェニルエーテル、ポリオキシエチレン（モノ、ジまたはトリ）ベンジルフェニルエーテルおよびポリオキシエチレン（モノ、ジまたはトリ）スチリルフェニルエーテルが挙げられる。
　【００１７】
　（２）ポリオキシプロピレンアリールフェニルエーテル：例えば、ポリオキシプロピレン（モノ、ジまたはトリ）フェニルフェニルエーテル、ポリオキシプロピレン（モノ、ジまたはトリ）ベンジルフェニルエーテルおよびポリオキシプロピレン（モノ、ジまたはトリ）スチリルフェニルエーテルが挙げられる。
　【００１８】
　（３）ポリオキシエチレンアリールフェニルエーテル硫酸およびその塩：例えば、ポリオキシエチレン（モノ、ジまたはトリ）フェニルフェニルエーテル硫酸、ポリオキシエチレン（モノ、ジまたはトリ）ベンジルフェニルエーテル硫酸エステル、ポリオキシエチレン（モノ、ジまたはトリ）スチリルフェニルエーテル硫酸エステルおよびそれらの塩が挙げられる。
　【００１９】
　（４）ポリオキシプロピレンアリールフェニルエーテル硫酸およびその塩：例えば、ポリオキシプロピレン（モノ、ジまたはトリ）フェニルフェニルエーテル硫酸、ポリオキシプロピレン（モノ、ジまたはトリ）ベンジルフェニルエーテル硫酸エステル、ポリオキシプロピレン（モノ、ジまたはトリ）スチリルフェニルエーテル硫酸エステルおよびそれらの塩が挙げられる。
　【００２０】
　（５）ポリオキシエチレンアリールフェニルエーテルリン酸およびその塩：例えば、ポリオキシエチレン（モノ、ジまたはトリ）フェニルフェニルエーテルリン酸エステル、ポリオキシエチレン（モノ、ジまたはトリ）ベンジルフェニルエーテルリン酸エステル、ポリオキシエチレン（モノ、ジまたはトリ）スチリルフェニルエーテルリン酸エステルおよびそれらの塩が挙げられる。
　【００２１】
　（６）ポリオキシプロピレンアリールフェニルエーテルリン酸およびその塩：例えば、ポリオキシプロピレン（モノ、ジまたはトリ）フェニルフェニルエーテルリン酸エステル、ポリオキシプロピレン（モノ、ジまたはトリ）ベンジルフェニルエーテルリン酸エステル、ポリオキシプロピレン（モノ、ジまたはトリ）スチリルフェニルエーテルリン酸エステルおよびそれらの塩が挙げられる。
　【００２２】
　上記の（１）〜（６）における塩の対イオンとしては、アルカリ金属（リチウム、ナトリウムおよびカリウム等）、アルカリ土類金属（カルシウムおよびマグネシウム等）、アンモニウムおよび各種アミン（例えばアルキルアミン、シクロアルキルアミンおよびアルカノールアミン等）等が挙げられる。
　【００２３】
　（ｂ）の界面活性剤の中で好ましいものは、ポリオキシエチレンアリールフェニルエーテルリン酸、ポリオキシプロピレンアリールフェニルエーテルリン酸、ポリオキシエチレンアリールフェニルエーテル硫酸、ポリオキシプロピレンアリールフェニルエーテル硫酸およびそれらの塩であり、特に好ましいものはポリオキシエチレンアリールフェニルエーテル硫酸、ポリオキシプロピレンアリールフェニルエーテル硫酸およびそれらの塩である。
　【００２４】
　本発明で使用される（ｃ）スルホネート系界面活性剤とは、スルホン酸基を有する界面活性剤であり、例えば、パラフィン（例えばＣ８〜２２）スルホン酸、アルキル（例えばＣ８〜１２）ベンゼンスルホン酸、アルキル（例えばＣ８〜１２）ベンゼンスルホン酸のホルマリン縮合物、クレゾールスルホン酸のホルマリン縮合物、α−オレフィン（例えばＣ８〜１６）スルホン酸、ジアルキル（例えばＣ８〜１２）スルホコハク酸、リグニンスルホン酸、ポリオキシエチレン（モノまたはジ）アルキル（例えばＣ８〜１２）フェニルエーテルスルホン酸、ポリオキシエチレンアルキル（例えばＣ８〜１８）エーテルスルホコハク酸ハーフエステル、ナフタレンスルホン酸、（モノまたはジ）アルキル（例えばＣ１〜６）ナフタレンスルホン酸、ナフタレンスルホン酸のホルマリン縮合物、（モノまたはジ）アルキル（例えばＣ１〜６）ナフタレンスルホン酸のホルマリン縮合物、クレオソート油スルホン酸のホルマリン縮合物、アルキル（例えばＣ８〜１２）ジフェニルエーテルジスルホン酸、イゲポンＴ（商品名）、ポリスチレンスルホン酸およびスチレンスルホン酸とメタアクリル酸の共重合物等のスルホン酸、並びにそれらスルホン酸の塩が挙げられる。該塩の対イオンとしては、アルカリ金属（リチウム、ナトリウムおよびカリウム等）、アルカリ土類金属（カルシウムおよびマグネシウム等）、アンモニウムおよび各種アミン（例えばアルキルアミン、シクロアルキルアミンおよびアルカノールアミン等）等が挙げられる。
　【００２５】
　（ｃ）スルホネート系界面活性剤の中で好ましいものは、ジアルキルスルホコハク酸塩である。
　【００２６】
　本発明で使用される（ｄ）カルボキシメチルセルロース塩の対イオンとしては、アルカリ金属（リチウム、ナトリウムおよびカリウム等）、アルカリ土類金属（カルシウムおよびマグネシウム等）、アンモニウムおよび各種アミン（例えばアルキルアミン、シクロアルキルアミンおよびアルカノールアミン等）等が挙げられる。この中で好ましい対イオンはアルカリ金属であり、より好ましいものはナトリウムである。
　【００２７】
　（ｄ）カルボキシメチルセルロース塩の具体例としては、例えばセロゲン７０１Ａ、セロゲン７０３Ａ、セロゲン５Ａ、セロゲン６Ａ、セロゲン７Ａ、セロゲンＰＲ、セロゲンＷＳ−Ａ、セロゲンＰＬ−１５、セロゲンＷＳ−ＣＮ、セロゲンＷＳ−Ｃ、セロゲンＷＳ−Ｄ、セロゲンＢＳ、セロゲンＢＳ−Ｈ、セロゲンＢＳＨ−３、セロゲンＢＳＨ−４、セロゲンＢＳＨ−５、セロゲンＢＳＨ−６、セロゲンＢＳＨ−１０、セロゲンＢＳＨ−１２、セロゲン６ＨＳ９、セロゲンＥＰおよびセロゲンＨＥ−１５００Ｆ（以上、商品名／第一工業製薬（株）製）、サンローズＦ１０ＬＣ、サンローズＦ２０ＬＣ、サンローズＦ０１ＭＣ、サンローズＦ１０ＭＣ、サンローズＦ３０ＭＣ、サンローズＦ５０ＭＣ、サンローズＦＴ−１、サンローズＦＴ−３、サンローズ０４ＨＣ、サンローズＦＴ−８、サンローズＦ２０ＨＣ、サンローズＡＰＰ−８４、サンローズＡ０２ＳＨ、サンローズＡ０４ＳＨ、サンローズＡ１０ＳＨ、サンローズＡ２０ＳＨ、サンローズＡ１００ＳＨ、サンローズＰＮ０１Ｌ、サンローズＰＮ０５Ｌ、サンローズＰＮ２０Ｌ、サンローズＳＮ０１Ｌ、サンローズＳＮ３０Ｃ、サンローズＳＮ６０Ｃ、サンローズＳＮ８０Ｃ、サンローズＢ１Ｂ、サンローズＢ３Ｂ、Ｈｉ−サンローズＨ−７５５およびサンローズＳＬＤ−Ｆ１（以上、商品名／日本製紙ケミカル（株）製）等が挙げられる。
　【００２８】
　本発明で使用される（ｅ）ポリカルボン酸塩とは、カルボキシル基を複数有する界面活性剤であり、例えば、ポリアクリル酸、ポリメタアクリル酸、ポリマレイン酸、ポリ無水マレイン酸、マレイン酸または無水マレイン酸とオレフィン（例えばイソブチレンおよびジイソブチレン等）との共重合物、アクリル酸とイタコン酸の共重合物、メタアクリル酸とイタコン酸の共重合物、マレイン酸または無水マレイン酸とスチレンの共重合物、アクリル酸とメタアクリル酸の共重合物、アクリル酸とアクリル酸メチルエステルとの共重合物、アクリル酸と酢酸ビニルとの共重合物、アクリル酸とマレイン酸または無水マレイン酸の共重合物、Ｎ−メチル−脂肪酸（例えばＣ８〜１８）サルコシネート、樹脂酸および脂肪酸（例えばＣ８〜１８）等のカルボン酸、並びにそれらカルボン酸の塩が挙げられる。該塩の対イオンとしては、アルカリ金属（リチウム、ナトリウムおよびカリウム等）、アルカリ土類金属（カルシウムおよびマグネシウム等）、アンモニウムおよび各種アミン（例えばアルキルアミン、シクロアルキルアミンおよびアルカノールアミン等）等が挙げられる。
　【００２９】
　（ｅ）ポリカルボン酸塩の中で好ましいものは、ポリアクリル酸塩であり、平均分子量が４，０００〜１，００００のナトリウム塩やカリウム塩が特に好ましい。
　【００３０】
　（ｂ）の含有量は、固形農薬組成物１００重量部に対し１〜１０重量部であることが望ましい。（ｃ）の含有量は、固形農薬組成物１００重量部に対し０．１〜５重量部であることが望ましい。（ｄ）の含有量は、固形農薬組成物１００重量部に対し１〜１０重量部であることが望ましい。（ｅ）の含有量は、固形農薬組成物１００重量部に対し０．１〜５重量部であることが望ましい。
　【００３１】
　本発明の固形農薬組成物には、必要に応じて増量剤として鉱物質微粉あるいは水溶性粉末を用いることができる。鉱物質微粉としては、例えばケイソウ土、タルク、クレー、ベントナイト、炭酸カルシウム等が用いられる。水溶性粉末としては、例えば乳糖、果糖、ショ糖、ブドウ糖、デキストリン、デンプン等の糖類、尿素および硫酸、燐酸、塩酸、ギ酸、酢酸、プロピオン酸等のアルカリ金属塩もしくはアンモニウム塩等が用いられる。これらの増量剤は単独で用いてもよいし、２種以上を混合して用いてもよい。
　【００３２】
　また、必要に応じてその他の補助剤として、ｐＨ調整剤、溶剤、防腐剤、吸収性微粉末、結合剤、粉砕助剤、分解防止剤、着色剤、消泡剤等を添加することもできる。
　【００３３】
　ｐＨ調整剤としては、たとえば炭酸ナトリウム、炭酸水素ナトリウム、炭酸カリウム、水酸化ナトリウム、水酸化カリウム、水酸化カルシウム、ホウ酸ナトリウム、塩酸、硝酸、リン酸、クエン酸、酢酸、シュウ酸、フタル酸、安息香酸、コハク酸、エチレンジアミン四酢酸、クエン酸ナトリウム、リン酸水素二ナトリウム、リン酸二水素ナトリウム、リン酸水素二カリウムおよびリン酸二水素カリウムが挙げられる。ｐＨ調整剤として好ましいものは、炭酸ナトリウム、炭酸水素ナトリウム、塩酸およびクエン酸である。これらのｐＨ調整剤は単独で用いてもよいし、２種以上を混合して用いてもよい。
　【００３４】
　本発明で使用される農薬活性成分としては、例えば以下のものが挙げられる。
　【００３５】
　除草剤：ピラゾスルフロンエチル（ｐｙｒａｚｏｓｕｌｆｕｒｏｎ　ｅｔｈｙｌ）、ハロスルフロンメチル（ｈａｌｏｓｕｌｆｕｒｏｎ　ｍｅｔｈｙｌ）、ベンスルフロンメチル（ｂｅｎｓｕｌｆｕｒｏｎ　ｍｅｔｈｙｌ）、イマゾスルフロン（ｉｍａｚｏｓｕｌｆｕｒｏｎ）、アジムスルフロン（ａｚｉｍｓｕｌｆｕｒｏｎ）、シノスルフロン（ｃｉｎｏｓｕｌｆｕｒｏｎ）、シクロスルファムロン（ｃｙｃｌｏｓｕｌｆａｍｕｒｏｎ）、エトキシスルフロン（ｅｔｈｏｘｙｓｕｌｆｕｒｏｎ）、キノクラミン（ｑｕｉｎｏｃｌａｍｉｎ）、メタゾスルフロン（ｍｅｔａｚｏｓｕｌｆｒｏｎ）、ピラクロニル（ｐｙｒａｃｌｏｎｉｌ）、アミノシクロピラクロール（Ａｍｉｎｏｃｙｃｌｏｐｙｒａｃｈｌｏｒ）、テフリルトリオン（ｔｅｆｕｒｙｌｔｉｒｉｏｎｅ）、メソトリオン（ｍｅｓｏｔｒｉｏｎｅ）、ピリミスルファン、（ｐｙｒｉｍｉｓｕｌｆａｎ）、フェノキサスルホン（ｆｅｎｏｘａｓｕｌｆｏｎｅ）、ペノキススラム（ｐｅｎｏｘｓｕｌａｍ）、アミノピラリド（ａｍｉｎｏｐｙｒａｌｉｄ）、ベンカルバゾン（ｂｅｎｃａｒｂａｚｏｎｅ）、オルソスルファムロン（ｏｒｔｈｏｓｕｌｆａｍｒｕｎ）、フルセトスルフロン（ｆｌｕｃｅｔｏｓｕｌｆｕｒｏｎ）、モノスルフロン（ｍｏｎｏｓｕｌｆｕｒｏｎ）、モノスルフロンメチル（ｍｏｎｏｓｕｌｆｕｒｏｎ−ｍｅｔｈｙｌ）、ピノキサデン（ｐｉｎｏｘａｄｅｎ）、プロポキシカルバゾンーナトリウム塩（ｐｒｏｐｏｘｙｃａｒｂａｚｏｎｅ−ｓｏｄｉｕｍ）、ピラスルホトール（ｐｙｒａｓｕｌｆｏｔｏｌｅ）、ピロキサスルホン（ｐｙｒｏｘａｓｕｌｆｏｎｅ）、ピロキシスラム（ｐｙｒｏｘｓｕｌａｍ）、テンボトリオン（ｔｅｍｂｏｔｒｉｏｎｅ）、チエンカルバゾン−メチル（ｔｈｉｅｎｃａｒｂａｚｏｎｅ−ｍｅｔｈｙｌ）、トプラメゾン（ｔｏｐｒａｍｅｚｏｎ）、メタミトロン（ｍｅｔａｍｉｔｒｏｎ）、エスプロカルブ（ｅｓｐｒｏｃａｒｂ）、ベンチオカーブ（ｂｅｎｔｈｉｏｃａｒｂ）、モリネート（ｍｏｌｉｎａｔｅ）、ジメピペレート（ｄｉｍｅｐｉｐｅｒａｔｅ）、ピリブチカルブ（ｐｙｒｉｂｕｔｉｃａｒｂ）、メフェナセット（ｍｅｆｅｎａｃｅｔ）、ブタクロール（ｂｕｔａｃｈｌｏｒ）、プレチラクロール（ｐｒｅｔｉｌａｃｈｌｏｒ）、テニルクロール（ｔｈｅｎｙｌｃｈｌｏｒ）、ブロモブチド（ｂｒｏｍｏｂｕｔｉｄｅ）エトベンザニド（ｅｔｏｂｅｎｚａｎｉｄ）、ジフルフェニカン（ｄｉｆｌｕｆｅｎｉｃａｎ）、ダイムロン（ｄｙｍｒｏｎ）、クミルロン（ｃｕｍｙｌｕｒｏｎ）、ベンタゾン（ｂｅｎｔａｚｏｎｅ）、ピリフタリド（ｐｙｒｉｆｔａｌｉｄ）、ビスピリバック（ｂｉｓｐｙｒｉｂａｃ）、ベンタゾンの塩、２，４−Ｄ、２，４−Ｄの塩、２，４−Ｄのエステル、ＭＣＰ、ＭＣＰの塩、ＭＣＰのエステル、ＭＣＰＢ、ＭＣＰＢの塩、ＭＣＰＢのエステル、フェノチオール（ＭＣＰＡ−ｔｈｉｏｅｔｈｙｌ）、クロメプロップ（ｃｌｏｍｅｐｒｏｐ）、ナプロアニリド（ｎａｐｒｏａｎｉｌｉｄｅ）、オキサジアゾン（ｏｘａｄｉａｚｏｎ）、ピラゾレート（ｐｙｒａｚｏｌａｔｅ）、ピラゾキシフェン（ｐｙｒａｚｏｘｙｆｅｎ）、ベンゾフェナップ（ｂｅｎｚｏｆｅｎａｐ）、オキサジアルギル（ｏｘａｄｉａｒｇｙｌ）、ジメタメトリン（ｄｉｍｅｔｈａｍｅｔｒｙｎ）、シメトリン（ｓｉｍｅｔｒｙｎ）、ピペロホス（ｐｉｐｅｒｏｐｈｏｓ）、アニロホス（ａｎｉｌｏｆｏｓ）、ブタミホス（ｂｕｔａｍｉｆｏｓ）、ベンスリド（ｂｅｎｓｕｌｉｄｅ）、ジチオピル（ｄｉｔｈｉｏｐｙｒ）、ピリミノバックメチル（ｐｙｒｉｍｉｎｏｂａｃ　ｍｅｔｈｙｌ）、ＣＮＰ、クロメトキシニル（ｃｈｌｏｒｍｅｔｈｏｘｙｎｉｌ）、シハロホップブチル（ｃｙｈａｌｏｆｏｐ　ｂｕｔｙｌ）、ビフェノックス（ｂｉｆｅｎｏｘ）、カフェンストロール（ｃａｆｅｎｓｔｒｏｌｅ）、ペントキサゾン（ｐｅｎｔｏｘａｚｏｎｅ）、インダノファン（ｉｎｄａｎｏｆａｎ）、オキサジクロメホン（ｏｘａｚｉｃｌｏｍｅｆｏｎｅ）、フェントラザミド（ｆｅｎｔｒａｚａｍｉｄｅ）、ブテナクロール（ｂｕｔｅｎａｃｈｌｏｒ）、ＡＣＮ、ベンゾビシクロン（ｂｅｎｚｏｂｉｃｙｃｌｏｎ）、ベンフレセート（ｂｅｎｆｕｒｅｓａｔｅ）、シンメチリン（ｃｉｍｍｅｔｈｙｌｉｎ）、シマジン（ｓｉｍａｚｉｎｅ）、ジクロベニル（ｄｉｃｈｌｏｂｅｎｉｌ）、ジウロン（ｄｉｕｒｏｎ）、クロロＩＰＣ（ｃｈｌｏｒｐｒｏｐｈａｍ）、アトラジン（ａｔｒａｚｉｎｅ）、アラクロール（ａｌａｃｈｌｏｒ）、イソウロン（ｉｓｏｕｒｏｎ）、クロルフタリム（ｃｈｌｏｒｐｈｔａｌｉｍ）、シアナジン（ｃｙａｎａｚｉｎ）、トリフルラリン（ｔｒｉｆｌｕｒａｌｉｎ）、ブタミホス（ｂｕｔａｍｉｆｏｓ）、キンクロラック（ｑｕｉｎｃｌｏｒａｃ）、プロピザミド（ｐｒｏｐｙｚａｍｉｄｅ）、プロメトリン（ｐｒｏｍｅｔｒｙｎ）、ペンディメタリン（ｐｅｎｄｉｍｅｔｈａｌｉｎ）、メトラクロール（ｍｅｔｏｌａｃｈｌｏｒ）、メトリブジン（ｍｅｔｒｉｂｕｚｉｎ）、リニュロン（ｌｉｎｕｒｏｎ）、レナシル（ｌｅｎａｃｉｌ）、プロパニル（ｐｒｏｐａｎｉｌ）、ＭＣＰＡ、アイオキシニル（ｉｏｘｙｎｉｌ　ｏｃｔａｎｏａｔｅ）、アシュラム（ａｓｕｌａｍ）、キザロホップエチル（ｑｕｉｚａｌｏｆｏｐ−ｅｔｈｙｌ）、プロパキザホップ（ｐｒｏｐａｑｕｉｚａｆｏｐ）、キザロホップテフリル（ｑｕｉｚａｌｏｆｏｐ−ｔｅｆｕｒｙｌ）、セトキシジム（ｓｅｔｈｏｘｙｄｉｍ）、チフェンスルフロンメチル（ｔｈｉｆｅｎｓｕｌｆｕｒｏｎ−ｍｅｔｈｙｌ）、フェノキサプロップエチル（ｆｅｎｏｘａｐｒｏｐ−ｅｔｈｙｌ）、フェンメディファム（ｐｈｅｎｍｅｄｉｐｈａｍ）、フルアジホップブチル（ｆｌｕａｚｉｆｏｐ−ｂｕｔｙｌ）、ベンタゾン（ｂｅｎｔａｚｏｎｅ）、ＳＡＰ（ｂｅｎｓｕｌｉｄｅ）、ＴＣＴＰ（ｃｈｌｏｒｔｈａｌ−ｄｉｍｅｔｈｙｌ，ｔｅｔｏｒａｃｈｌｏｒｏｔｈｉｏｐｈｅｎｅ）、アミプロホスメチル（ａｍｉｐｒｏｐｈｏｓｍｅｔｈｙｌ）、アメトリン（ａｍｅｔｒｙｎ）、イソキサベン（ｉｓｏｘａｂｅｎ）、オルベンカーブ（ｏｒｂｅｎｃａｒｂ）、カルブチレート（ｋａｒｂｕｔｉｌａｔｅ）、ジチオピル（ｄｉｔｈｉｏｐｙｒ）、シデュロン（ｓｉｄｕｒｏｎ）、チアザフルロン（ｔｈｉａｚａｆｌｕｒｏｎ）、ナプロパミド（ｎａｐｒｏｐａｍｉｄｅ）、プロジアミン（ｐｒｏｄｉａｍｉｎｅ）、ベスロジン（ｂｅｔｈｒｏｄｉｎｅｂｅｎｅｆｉｎ）、メチルダイムロン（ｍｅｔｈｙｌ　ｄｙｍｒｏｎ）、２，４−ＰＡ、ＭＣＰＰＡ、フラザスルフロン（ｆｌａｚａｓｕｌｆｕｒｏｎ）、メトスルフロンメチル（ｍｅｔｓｕｌｆｕｒｏｎ−ｍｅｔｈｙｌ）、イマザキン（ｉｍａｚａｑｕｉｎ）、イマザピル（ｉｍａｚａｐｙｒ）、テトラピオン（ｆｌｕｐｒｏｐａｎａｔｅ）、テブティウロン（ｔｅｂｕｔｈｉｕｒｏｎ）、ブロマシル（ｂｒｏｍａｃｉｌ）、ヘキサジノン（ｈｅｘａｚｉｎｏｎｅ）、グリホサートアンモニウム塩（ｇｌｙｐｈｏｓａｔｅ−ａｍｍｏｎｉｕｍ）、グリホサートイソプロピルアミン塩（ｇｌｙｐｈｏｓａｔｅ−ｉｓｏ−ｐｒｏｐｙｌａｍｍｏｎｉｕｍ）、グリホサートトリメシウム塩（ｇｌｙｐｈｏｓａｔｅ−ｔｒｉｍｅｓｉｕｍ）、グリホサートナトリウム塩（ｇｌｙｐｈｏｓａｔｅ−ｓｏｄｉｕｍ）、グリホサートカリウム塩（ｇｌｙｐｈｏｓａｔｅ−ｐｏｔａｓｓｉｕｍ）、ビアラホス（ｂｉａｌａｐｈｏｓ）、グルホシネート（ｇｌｕｆｏｓｉｎａｔｅ−ａｍｍｏｎｉｕｍ）、ＯＫ−７０１（試験名）、イプフェンカルバゾン（ｉｐｆｅｎｃａｒｂａｚｏｎｅ）、プロピリスルフロン（ｐｒｏｐｙｒｉｓｕｌｆｕｒｏｎ）およびＭＣＣ等。
　【００３６】
　殺菌剤：アミスルブロム（ａｍｉｓｕｌｂｒｏｍ）、アシベンゾラール（ａｃｉｂｅｎｚｏｌａｒ）、アムプロピルホス（ａｍｐｒｏｐｙｆｏｓ）、アニラジン（ａｎｉｌａｚｉｎｅ）、アザコナゾール（ａｚａｃｏｎａｚｏｌｅ）、アゾキシストロビン（ａｚｏｘｙｓｔｒｏｂｉｎ）、ベナラキシル（ｂｅｎａｌａｘｙｌ）、ベノダニル（ｂｅｎｏｄａｎｉｌ）、ベノミル（ｂｅｎｏｍｙｌ）、ベンザマクリル（ｂｅｎｚａｍａｃｒｉｌ）、ビナパクリル（ｂｉｎａｐａｃｒｙｌ）、ビフェニル（ｂｉｐｈｅｎｙｌ）、ビテルタノール（ｂｉｔｅｒｔａｎｏｌ）、ベトキサジン（ｂｅｔｈｏｘａｚｉｎｅ）、ボルドー液（ｂｏｒｄｅａｕｘ　ｍｉｘｔｕｒｅ）、ブラストサイジン−Ｓ（ｂｌａｓｔｉｃｉｄｉｎ−Ｓ）、ブロモコナゾール（ｂｒｏｍｏｃｏｎａｚｏｌｅ）、ブピリメート（ｂｕｐｉｒｉｍａｔｅ）、ブチオベート（ｂｕｔｈｉｏｂａｔｅ）、カルシウムポリスルフィド（ｃａｌｃｉｕｍ　ｐｏｌｙｓｕｌｆｉｄｅ）、キャプタフォール（ｃａｐｔａｆｏｌ）、キャプタン（ｃａｐｔａｎ）、カッパーオキシクロリド（ｃｏｐｐｅｒ　ｏｘｙｃｈｌｏｒｉｄｅ）、カルプロパミド（ｃａｒｐｒｏｐａｍｉｄ）、カルベンダジン（ｃａｒｂｅｎｄａｚｉｍ）、カルボキシン（ｃａｒｂｏｘｉｎ）、キノメチオネート（ｃｈｉｎｏｍｅｔｈｉｏｎａｔ）、クロベンチアゾン（ｃｈｌｏｂｅｎｔｈｉａｚｏｎｅ）、クロルフェナゾール（ｃｈｌｏｒｆｅｎａｚｏｌ）、クロロネブ（ｃｈｌｏｒｏｎｅｂ）、クロロタロニル（ｃｈｌｏｒｏｔｈａｌｏｎｉｌ）、クロゾリネート（ｃｈｌｏｚｏｌｉｎａｔｅ）、クフラネブ（ｃｕｆｒａｎｅｂ）、シモキサニル（ｃｙｍｏｘａｎｉｌ）、シプロコナゾール（ｃｙｐｒｏｃｏｎａｚｏｌ）、シプロジニル（ｃｙｐｒｏｄｉｎｉｌ）、シプロフラム（ｃｙｐｒｏｆｕｒａｍ）、デバカルブ（ｄｅｂａｃａｒｂ）、ジクロロフェン（ｄｉｃｈｌｏｒｏｐｈｅｎ）、ジクロブトラゾール（ｄｉｃｌｏｂｕｔｒａｚｏｌ）、ジクロフラニド（ｄｉｃｌｈｌｏｆｌｕａｎｉｄ）、ジクロメジン（ｄｉｃｌｏｍｅｄｉｎｅ）、ジクロラン（ｄｉｃｌｏｒａｎ）、ジエトフェンカルブ（ｄｉｅｔｈｏｆｅｎｃａｒｂ）、ジクロシメット（ｄｉｃｌｏｃｙｍｅｔ）、ジフェノコナゾール（ｄｉｆｅｎｏｃｏｎａｚｏｌｅ）、ジフルメトリン（ｄｉｆｌｕｍｅｔｏｒｉｍ）、ジメチリモール（ｄｉｍｅｔｈｉｒｉｍｏｌ）、ジメトモルフ（ｄｉｍｅｔｈｏｍｏｒｐｈ）、ジニコナゾール（ｄｉｎｉｃｏｎａｚｏｌｅ）、ジニコナゾール−Ｍ（ｄｉｎｉｃｏｎａｚｏｌｅ−Ｍ）、ジノカップ（ｄｉｎｏｃａｐ）、ジフェニルアミン（ｄｉｐｈｅｎｙｌａｍｉｎｅ）、ジピリチオン（ｄｉｐｙｒｉｔｈｉｏｎｅ）、ジタリムホス（ｄｉｔａｌｉｍｆｏｓ）、ジチアノン（ｄｉｔｈｉａｎｏｎ）、ドデモルフ（ｄｏｄｅｍｏｒｐｈ）、ドジン（ｄｏｄｉｎｅ）、ドラゾクソロン（ｄｒａｚｏｘｏｌｏｎ）、エデフェノホス（ｅｄｉｆｅｎｐｈｏｓ）、エポキシコナゾール（ｅｐｏｘｉｃｏｎａｚｏｌｅ）、エタコナゾール（ｅｔａｃｏｎａｚｏｌｅ）、エチリモル（ｅｔｈｉｒｉｍｏｌ）、エトリジアノール（ｅｔｒｉｄｉａｚｏｌｅ）、ファモキサゾン（ｆａｍｏｘａｄｏｎｅ）、フェナリモル（ｆｅｎａｒｉｍｏｌ）、フェブコナゾール（ｆｅｂｕｃｏｎａｚｏｌｅ）、フェンフラム（ｆｅｎｆｕｒａｍ）、フェンピクロニル（ｆｅｎｐｉｃｌｏｎｉｌ）、フェンプロピジン（ｆｅｎｐｒｏｐｉｄｉｎ）、フェンプロピモルフ（ｆｅｎｐｒｏｐｉｍｏｒｐｈ）、フェンチン（ｆｅｎｔｉｎ）、フェルバン（ｆｅｒｂａｍ）、フェリムゾン（ｆｅｒｉｍｚｏｎｅ）、フルアジナム（ｆｌｕａｚｉｎａｍ）、フルジオキソニル（ｆｌｕｄｉｏｘｏｎｉｌ）、フルオロイミド（ｆｌｕｏｒｏｉｍｉｄｅ）、フルキンコナゾール（ｆｌｕｑｕｉｎｃｏｎａｚｏｌｅ）、フルシラゾール（ｆｌｕｓｉｌａｚｏｌｅ）、フルスルファミド（ｆｌｕｓｕｌｆａｍｉｄｅ）、フルトラニル（ｆｌｕｔｏｌａｎｉｌ）、フルトリアフォール（ｆｌｕｔｒｉａｆｏｌ）、フォルペット（ｆｏｌｐｅｔ）、フォセチル−アルミニウム（ｆｏｓｅｔｙｌ−ａｌｕｍｉｎｉｕｍ）、フベリダゾール（ｆｕｂｅｒｉｄａｚｏｌｅ）、フララキシル（ｆｕｒａｌａｘｙｌ）、フェナミドン（ｆｅｎａｍｉｄｏｎｅ）、フェンヘキサミド（ｆｅｎｈｅｘａｍｉｄ）、グアザチン（ｇｕａｚａｔｉｎｅ）、ヘキサクロロベンゼン（ｈｅｘａｃｈｌｏｒｏｂｅｎｚｅｎｅ）、ヘキサコナゾール（ｈｅｘａｃｏｎａｚｏｌｅ）、ヒメキサゾール（ｈｙｍｅｘａｚｏｌ）、イマザリル（ｉｍａｚａｌｉｌ）、イミベンコナゾール（ｉｍｉｂｅｎｃｏｎａｚｏｌｅ）、イミノクタジン（ｉｍｉｎｏｃｔａｄｉｎｅ）、イプコナゾール（ｉｐｃｏｎａｚｏｌｅ）、イプロベンホス（ｉｐｒｏｂｅｎｆｏｓ）、イプロジオン（ｉｐｒｏｄｉｏｎｅ）、イソプロチオラン（ｉｓｏｐｒｏｔｈｉｏｌａｎｅ）、イプロバリカルブ（ｉｐｒｏｖａｌｉｃａｒｂ）、イソピラザム（ｉｓｏｐｙｒａｚａｍ）、カスガマイシン（ｋａｓｕｇａｍｙｃｉｎ）、クレソキシム−メチル（ｋｒｅｓｏｘｉｍ−ｍｅｔｈｙｌ）、マンカッパー（ｍａｎｃｏｐｐｅｒ）、マンゼブ（ｍａｎｃｏｚｅｂ）、マンネブ（ｍａｎｅｂ）、メパニピリム（ｍｅｐａｎｉｐｙｒｉｍ）、メプロニル（ｍｅｐｒｏｎｉｌ）、メタラキシル（ｍｅｔａｌａｘｙｌ）、メトコナゾール（ｍｅｔｃｏｎａｚｏｌｅ）、メチラム（ｍｅｔｉｒａｍ）、メトミノストロビン（ｍｅｔｏｍｉｎｏｓｔｒｏｂｉｎ）、ミクロブタニル（ｍｙｃｌｏｂｕｔａｎｉｌ）、ナバム（ｎａｂａｍ）、ニッケルビス（ジメチルジチオカーバメート）（ｎｉｃｋｅｌ　ｂｉｓ（ｄｉｍｅｔｈｙｌｄｉｔｈｉｏｃａｒｂａｍａｔｅ））、ニトロタール−イソプロピル（ｎｉｔｒｏｔｈａｌ−ｉｓｏｐｒｏｐｙｌ）、ヌアリモル（ｎｕａｒｉｍｏｌ）、オクチリノン（ｏｃｔｈｉｌｉｎｏｎｅ）、オフレース（ｏｆｕｒａｃｅ）、オキサジキシル（ｏｘａｄｉｘｙｌ）、オキシカルボキシン（ｏｘｙｃａｒｂｏｘｉｎ）、オキポコナゾールフマール酸塩（ｏｘｐｏｃｏｎａｚｏｌｅ　ｆｕｍａｒａｔｅ）、ペフラゾエート（ｐｅｆｕｒｚｏａｔｅ）、ペンコナゾール（ｐｅｎｃｏｎａｚｏｌｅ）、ペンシクロン（ｐｅｎｃｙｃｕｒｏｎ）、フタライド（ｐｈｔｈａｌｉｄｅ）、ピペラリン（ｐｉｐｅｒａｌｉｎ）、ポリオキシン（ｐｏｌｙｏｘｉｎｓ）、プロベナゾール（ｐｒｏｂｅｎａｚｏｌｅ）、プロクロラズ（ｐｒｏｃｈｌｏｒａｚ）、プロシミドン（ｐｒｏｃｙｍｉｄｏｎｅ）、プロパモカルブ塩酸塩（ｐｒｏｐａｍｏｃａｒｂ　ｈｙｄｒｏｃｈｌｏｒｉｄｅ）、プロピコナゾール（ｐｒｏｐｉｃｏｎａｚｏｌｅ）、プロピネブ（ｐｒｏｐｉｎｅｂ）、ピラゾホス（ｐｙｒａｚｏｐｈｏｓ）、ピリフェノックス（ｐｙｒｉｆｅｎｏｘ）、ピリメタニル（ｐｙｒｉｍｅｔｈａｎｉｌ）、ピロキロン（ｐｙｒｏｑｕｉｌｏｎ）、キノキシフェン（ｑｕｉｎｏｘｙｆｅｎ）、キントゼン（ｑｕｉｎｔｏｚｅｎｅ）、硫黄（ｓｕｌｆｕｒ）、スピロキサミン（ｓｐｉｒｏｘａｍｉｎｅ）、テブコナゾール（ｔｅｂｕｃｏｎａｚｏｌｅ）、テクナゼン（ｔｅｃｎａｚｅｎｅ）、テトラコナゾール（ｔｅｔｒａｃｏｎａｚｏｌｅ）、チアベンダゾール（ｔｈｉａｂｅｎｄａｚｏｌｅ）、チフルザミド（ｔｈｉｆｌｕｚａｍｉｄｅ）、チオファネート−メチル（ｔｈｉｏｐｈａｎａｔｅ−ｍｅｔｈｙｌ）、チラム（ｔｈｉｒａｍ）、トルクロホス−メチル（ｔｏｌｃｌｏｆｏｓ−ｍｅｔｈｙｌ）、トリルフラニド（ｔｏｌｙｌｆｌｕａｎｉｄ）、トリアジメホン（ｔｒｉａｄｉｍｅｆｏｎ）、トリアジメノール（ｔｏｒｉａｄｉｍｅｎｏｌ）、トリアゾキシド（ｔｒｉａｚｏｘｉｄｅ）、トリシクラゾール（ｔｒｉｃｙｃｌａｚｏｌｅ）、トリデモルフ（ｔｒｉｄｅｍｏｒｐｈ）、トリフルミゾール（ｔｒｉｆｌｕｍｉｚｏｌｅ）、トリホリン（ｔｒｉｆｏｒｉｎｅ）、トリチコナゾール（ｔｒｉｔｉｃｏｎａｚｏｌｅ）、バリダマイシン（ｖａｌｉｄａｍｙｃｉｎ）、ビンクロゾリン（ｖｉｎｃｌｏｚｏｌｉｎ）、ジネブ（ｚｉｎｅｂ）、ジラム（ｚｉｒａｍ）、オキシン銅（ｏｘｉｎｅ−ｃｏｐｐｅｒ）等。
　【００３７】
　殺バクテリア剤：ストレプトマイシン（ｓｔｒｅｐｔｏｍｙｃｉｎ）、オキシテトラサイクリン（ｏｘｙｔｅｒｒａｃｙｃｌｉｎｅ）、オキソリニックアシド（ｏｘｏｌｉｎｉｃ　ａｃｉｄ）等。
　【００３８】
　殺線虫剤：アルドキシカルブ（ａｌｄｏｘｙｃａｒｂ）、フォスチアゼート（ｆｏｓｔｈｉａｚａｔｅ）、フォスチエタン（ｆｏｓｔｈｉｅｔａｎ）、オキサミル（ｏｘａｍｙｌ）、フェナミホス（ｆｅｎａｍｉｐｈｏｓ）等。
　【００３９】
　殺ダニ剤：シエノピラフェン（ｃｙｅｎｏｐｙｒａｆｅｎ）、シフルメトフェン（ｃｙｆｕｌｍｅｔｏｆｅｎ）等のアクリロニトリル系化合物、スピロメシフェン（ｓｐｉｒｏｍｅｓｉｆｅｎ）、スピロジクロフェン（ｓｐｉｒｏｄｉｃｌｏｆｅｎ）、ピリダベン（ｐｙｒｉｄａｂｅｎ）、アミトラズ（ａｍｉｔｒａｚ）、ブロモプロピレート（ｂｒｏｍｏｐｒｏｐｙｌａｔｅ）、チノメチオネート（ｃｈｉｎｏｍｅｔｈｉｏｎａｔ）、クロロベンジラート（ｃｈｌｏｒｏｂｅｚｉｌａｔｅ）、クロフェンテジン（ｃｌｏｆｅｎｔｅｚｉｎｅ）、サイヘキサチン（ｃｙｈｅｘａｔｉｎｅ）、ジコフォール（ｄｉｃｏｆｏｌ）、ジエノクロール（ｄｉｅｎｏｃｈｌｏｒ）、エトキサゾール（ｅｔｏｘａｚｏｌｅ）、フェナザキン（ｆｅｎａｚａｑｕｉｎ）、フェンブタチンオキシド（ｆｅｎｂｕｔａｔｉｎ　ｏｘｉｄｅ）、フェンプロパトリン（ｆｅｎｐｒｏｐａｔｈｒｉｎ）、フェンプロキシメート（ｆｅｎｐｒｏｘｉｍａｔｅ）、ハルフェンプロックス（ｈａｌｆｅｎｐｒｏｘ）、ヘキシチアゾックス（ｈｅｘｙｔｈｉａｚｏｘ）、ミルベメクチン（ｍｉｌｂｅｍｅｃｔｉｎ）、プロパルギット（ｐｒｏｐａｒｇｉｔｅ）、ピリミジフェン（ｐｙｒｉｍｉｄｉｆｅｎ）、テブフェンピラド（ｔｅｂｕｆｅｎｐｙｒａｄ）。
　【００４０】
　殺虫剤：アバメクチン（ａｂａｍｅｃｔｉｎ）、アセフェート（ａｃｅｐｈａｔｅ）、アセタミピリド（ａｃｅｔａｍｉｐｉｒｉｄ）、アジンホス−メチル（ａｚｉｎｐｈｏｓ−ｍｅｔｈｙｌ）、ベンジオカルブ（ｂｅｎｄｉｏｃａｒｂ）、ベンフラカルブ（ｂｅｎｆｕｒａｃａｒｂ）、ベンスルタップ（ｂｅｎｓｕｌｔａｐ）、ビフェントリン（ｂｉｆｅｎｔｈｒｉｎ）、ブプロフェジン（ｂｕｐｒｏｆｅｚｉｎ）、ブトカルボキシン（ｂｕｔｏｃａｒｂｏｘｉｍ）、カルバリル（ｃａｒｂａｒｙｌ）、カルボフラン（ｃａｒｂｏｆｕｒａｎ）、カルボスルファン（ｃａｒｂｏｓｕｌｆａｎ）、カルタップ（ｃａｒｔａｐ）、クロルフェナピル（ｃｈｌｏｒｆｅｎａｐｙｒ）、クロルピリホス（ｃｈｌｏｒｐｙｒｉｆｏｓ）、クロルフェンビンホス（ｃｈｌｏｒｆｅｎｖｉｎｐｈｏｓ）、クロルフルアズロン（ｃｈｌｏｒｆｌｕａｚｕｒｏｎ）、クロチアニジン（ｃｌｏｔｈｉａｎｉｄｉｎ）、クロマフェノジド（ｃｈｒｏｍａｆｅｎｏｚｉｄｅ）、クロピリホス−メチル（ｃｈｌｏｒｐｙｒｉｆｏｓ−ｍｅｔｈｙｌ）、シフルトリン（ｃｙｆｌｕｔｈｒｉｎ）、ベータ−シフルトリン（ｂｅｔａ−ｃｙｆｌｕｔｈｒｉｎ）、シペルメトリン（ｃｙｐｅｒｍｅｔｈｒｉｎ）、シロマジン（ｃｙｒｏｍａｚｉｎｅ）、シハロトリン（ｃｙｈａｌｏｔｈｒｉｎ）、ラムダ−シハロトリン（ｌａｍｂｄａ−ｃｙｈａｌｏｔｈｒｉｎ）、デルタメトリン（ｄｅｌｔａｍｅｔｈｒｉｎ）、ジアフェンチウロン（ｄｉａｆｅｎｔｈｉｕｒｏｎ）、ダイアジノン（ｄｉａｚｉｎｏｎ）、ジアクロデン（ｄｉａｃｌｏｄｅｎ）、ジフルベンズロン（ｄｉｆｌｕｂｅｎｚｕｒｏｎ）、ジメチルビンホス（ｄｉｍｅｔｈｙｌｖｉｎｐｈｏｓ）、ジオフェノラン（ｄｉｏｆｅｎｏｌａｎ）、ジスルフォトン（ｄｉｓｕｌｆｏｔｏｎ）、ジメトエート（ｄｉｍｅｔｈｏａｔｅ）、ＥＰＮ、エスフェンバレレート（ｅｓｆｅｎｖａｌｅｒａｔｅ）、エチオフェンカルブ（ｅｔｈｉｏｆｅｎｃａｒｂ）、エチプロール（ｅｔｈｉｐｒｏｌｅ）、エトフェンプロックス（ｅｔｏｆｅｎｐｒｏｘ）、エトリムホス（ｅｔｒｉｍｆｏｓ）、フェニトロチオン（ｆｅｎｉｔｒｏｔｈｉｏｎ）、フェノブカルブ（ｆｅｎｏｂｕｃａｒｂ）、フェノキシカーブ（ｆｅｎｏｘｙｃａｒｂ）、フェンプロパトリン（ｆｅｎｐｒｏｐａｔｈｒｉｎ）、フェンバレレート（ｆｅｎｖａｌｅｒａｔｅ）、フィプロニル（ｆｉｐｒｏｎｉｌ）、フルシトリネート（ｆｌｕｃｙｔｈｒｉｎａｔｅ）、フルフェノクスウロン（ｆｌｕｆｅｎｏｘｕｒｏｎ）、フルフェンプロックス（ｆｌｕｆｅｎｐｒｏｘ）、タウ−フルバリネート（ｔａｕ−ｆｌｕｖａｌｉｎａｔｅ）、ホノホス（ｆｏｎｏｐｈｏｓ）、フォルメタネート（ｆｏｒｍｅｔａｎａｔｅ）、フォルモチオン（ｆｏｒｍｏｔｈｉｏｎ）、フラチオカルブ（ｆｕｒａｔｈｉｏｃａｒｂ）、ハロフェノジド（ｈａｌｏｆｅｎｏｚｉｄｅ）、ヘキサフルムロン（ｈｅｘａｆｌｕｍｕｒｏｎ）、ヒドラメチルノン（ｈｙｄｒａｍｅｔｈｙｌｎｏｎ）、イミダクロプリド（ｉｍｉｄａｃｌｏｐｒｉｄ）、イソフェンホス（ｉｓｏｆｅｎｐｈｏｓ）、インドキサカルブ（ｉｎｄｏｘａｃａｒｂ）、イソプロカルブ（ｉｓｏｐｒｏｃａｒｂ）、イソキサチオン（ｉｓｏｘａｔｈｉｏｎ）、ルフェヌウロン（ｌｕｆｅｎｕｒｏｎ）、マラチオン（ｍａｌａｔｈｉｏｎ）、メタルデヒド（ｍｅｔａｌｄｅｈｙｄｅ）、メタミドホス（ｍｅｔｈａｍｉｄｏｐｈｏｓ）、メチダチオン（ｍｅｔｈｉｄａｔｈｉｏｎ）、メタクリホス（ｍｅｔｈａｃｒｉｆｏｓ）、メタルカルブ（ｍｅｔａｌｃａｒｂ）、メソミル（ｍｅｔｈｏｍｙｌ）、メンプレン（ｍｅｔｈｏｐｒｅｎｅ）、メトキシクロール（ｍｅｔｈｏｘｙｃｈｌｏｒ）、メトキシフェノジド（ｍｅｔｈｏｘｙｆｅｎｏｚｉｄｅ）、モノクロトホス（ｍｏｎｏｃｒｏｔｏｐｈｏｓ）、ムスカルーレ（ｍｕｓｃａｌｕｒｅ）、ニテンピラム（ｎｉｔｅｎｐｙｒａｍ）、オメトエート（ｏｍｅｔｈｏａｔｅ）、オキシデメトン−メチル（ｏｘｙｄｅｍｅｔｏｎ−ｍｅｔｈｙｌ）、オキサミル（ｏｘａｍｙｌ）、パラチオン（ｐａｒａｔｈｉｏｎ）、パラチオン−メチル（ｐａｒａｔｈｉｏｎ−ｍｅｔｈｙｌ）、ペルメトリン（ｐｅｒｍｅｔｈｒｉｎ）、フェントエート（ｐｈｅｎｔｈｏａｔｅ）、フォキシム（ｐｈｏｘｉｍ）、ホレート（ｐｈｏｒａｔｅ）、ホサロン（ｐｈｏｓａｌｏｎｅ）、ホスメット（ｐｈｏｓｍｅｔ）、ホスファミドン（ｐｈｏｓｐｈａｍｉｄｏｎ）、ピリミカルブ（ｐｉｒｉｍｉｃａｒｂ）、ピリミホス−メチル（ｐｉｒｉｍｉｐｈｏｓ−ｍｅｔｈｙｌ）、プロフェノホス（ｐｒｏｆｅｎｏｆｏｓ）、ピメトロジン（ｐｙｍｅｔｒｏｚｉｎｅ）、ピラクロホス（ｐｙｒａｃｌｏｆｏｓ）、ピリプロキシフェン（ｐｙｒｉｐｒｏｘｙｆｅｎ）、ロテノン（ｒｏｔｅｎｏｎｅ）、スルプロホス（ｓｕｌｐｒｏｆｏｓ）、シラフルオフェン（ｓｉｌａｆｌｕｏｆｅｎ）、スピノサド（ｓｐｉｎｏｓａｄ）、スルホテップ（ｓｕｌｆｏｔｅｐ）、テブフェノジド（ｔｅｂｆｅｎｏｚｉｄｅ）、テフルベンズロン（ｔｅｆｌｕｂｅｎｚｕｒｏｎ）、テフルトリン（ｔｅｆｌｕｔｈｏｒｉｎ）、テルブホス（ｔｅｒｂｕｆｏｓ）、テトラクロロビンホス（ｔｅｔｒａｃｈｌｏｒｖｉｎｐｈｏｓ）、チオジカルブ（ｔｈｉｏｄｉｃａｒｂ）、チアメトキサム（ｔｈｉａｍｅｔｈｏｘａｍ）、チオファノックス（ｔｈｉｏｆａｎｏｘ）、チオメトン（ｔｈｉｏｍｅｔｏｎ）、トルフェンピラド（ｔｏｌｆｅｎｐｙｒａｄ）、トラロメスリン（ｔｒａｌｏｍｅｔｈｒｉｎ）、トリクロルホン（ｔｒｉｃｈｌｏｒｆｏｎ）、トリアズロン（ｔｒｉａｚｕｒｏｎ）、トリフルムロン（ｔｒｉｆｌｕｍｕｒｏｎ）、バミドチオン（ｖａｍｉｄｏｔｈｉｏｎ）、スルホキサフロル（ｓｕｌｆｏｘａｆｌｏｒ）等。
　【００４１】
　これらの農薬活性成分は単独でまたは２種以上混合して使用することができ、混合する場合の比も自由に選択できる。農薬活性成分の含有量は適宜選択できるが、固形農薬組成物１００重量部に対して０．１〜５０重量部の範囲が好ましい。
　【００４２】
　本発明の固形農薬組成物の製造方法は例えば以下の方法で製造できる。粉状農薬組成物の場合は、農薬活性成分、界面活性剤、および必要に応じて増量剤、その他の補助剤を必要量添加し、均一に混合した後、微粉砕することにより得られる。微粉砕は衝撃式粉砕機、ボールミル、ジェットミル等の乾式粉砕機により行なうことができる。
　【００４３】
　粒状農薬組成物の場合の造粒方法は、押出式造粒機、加圧式造粒機、流動層造粒機、撹拌造粒機、転動造粒機等の造粒機により行なうことができる。例えば、押出式造粒の場合は、上記の方法で得られた粉状農薬組成物に適量の水を加え、混練した後造粒機を用いて造粒し乾燥して得られる。あるいは押出式造粒の別法として適量の水に、農薬活性成分、界面活性剤、その他の補助剤を必要量加え、均一に混合してスラリーとし、湿式粉砕機で微粉砕する。微粉砕は、ボールミル、サンドミル等の湿式粉砕機により行なうことができる。次いで得られた微粉砕スラリーに界面活性剤、増量剤、その他の補助剤を適量加えてペースト状に混練した後、造粒機を用いて造粒し乾燥して得られる。
　【実施例】
　【００４４】
　次に本発明の実施例を具体的に挙げて説明するが、本発明はこれらの例に限定されるものではない。なお、部とあるのはすべて重量部を示す。
　【００４５】
　〔実施例１〕
　約５ミクロン程度に微粉砕したピラゾスルフロンエチル（一般名、スルホニルウレア系除草活性成分）４．３部、Ｈ微粉（商品名、啓和炉材（株）製、二酸化ケイ素）６５．７部および石油系パラフィンワックス（融点６９〜７２℃）３０．０部を、約１００℃でニーダーを用いて溶融、混練した。その後、約７５℃まで冷却し、直径１．２ｍｍの穴を有するスクリーンにて押出造粒し、これをピンミルで粉砕して、ピラゾスルフロンパラフィンプレミックスを得た。
　【００４６】
〔
参考例
　ブタクロール（一般名、クロロアセトアニリド系除草活性成分）７．８８部、ピラゾスルフロンエチルパラフィンプレミックス７．１４部、セロゲン６Ａ（商品名、第一工業製薬（株）製、カルボキシメチルセルロースナトリウム）５．００部、マイクロセルＥ（商品名、セライトコーポレーション製、吸収剤）５．００部、クニゲルＶ２（商品名、クニミネ工業（株）製、ベントナイト）５．００部、ネオキャリアＫ（商品名、浅田製粉（株）製、クレー）６５．５６部を均一混合した後、エアロールＣＴ−１Ｌ（商品名、東邦化学工業（株）製、ジオクチルスルホコハク酸ナトリウム塩）１．５０部、ソルポール７５５６（商品名、東邦化学工業（株）製　ポリオキシエチレンジスチリルフェニルエーテルサルフェートナトリウム塩）９．００部＊１と水を加えて混練し、次いで口径１．０ｍｍのスクリーンを装着した押出式造粒機を用いて造粒した。５０℃で乾燥後、０．７１ｍｍ〜１．４０ｍｍの篩で整粒し
て粒
　【００４７】
　＊１　ポリオキシエチレンジスチリルフェニルエーテルサルフェートナトリウム塩として３．１５部である。
　【００４８】
〔
参考例
　ソルポール７５５６　９．００部、ネオキャリアＫ　６５．５６部の代わりに、ニューカルゲンＮＸ−６１１５（商品名、竹本油脂（株）製、ポリオキシエチレンスチリルフェニルエーテルサルフェートアンモニウム塩、ホワイトカーボン）６．００部＊２およびネオキャリアＫ　６２．７１部を用いた以外は、
参考例
、農
　【００４９】
　＊２　ポリオキシエチレンスチリルフェニルエーテルサルフェートアンモニウム塩として３．００部である。
　【００５０】
〔実施例４〕
　ソルポール７５５６　９．００部、マイクロセルＥ　５．００部、クニゲルＶ２　５．００部、ネオキャリアＫ　６５．５６部の代わりに、アグリゾールＧ−２００（商品名、花王（株）製、ポリアクリル酸ナトリウム塩）１０．０部＊３、ニューカルゲンＮＸ−６１１５　４．００部＊４、マイクロセルＥ　４．００部、クニゲルＶ２　２５．００部、ソーダ灰ライト（商品名、トクヤマ（株）製、炭酸ナトリウム）１．００部およびネオキャリアＫ　４１．６１部を用いた以外は、
参考例
　【００５１】
　＊３　ポリアクリル酸ナトリウム塩として３．１０部である。
　【００５２】
　＊４　ポリオキシエチレンスチリルフェニルエーテルサルフェートアンモニウム塩として２．００部である。
　【００５３】
〔実施例５〕
　ソルポール７５５６　９．００部、エアロールＣＴ−１Ｌ　１．５０部、マイクロセルＥ　５．００部、クニゲルＶ２　５．００部、ネオキャリアＫ　６５．５６部の代わりに、アグリゾールＧ−２００　３．００部＊５、ソルポール７５５６　７．００部＊６、エアロールＣＴ−１Ｌ　２．００部、マイクロセルＥ　７．００部、クニゲルＶ２　２５．００部、ソーダ灰ライト　１．００部およびネオキャリアＫ　４１．９０部を用いた以外は、
参考例
　【００５４】
　＊５　ポリアクリル酸ナトリウム塩として０．９３部である。
　【００５５】
　＊６　ポリオキシエチレンジスチリルフェニルエーテルサルフェートナトリウム塩として２．４５部である。
　【００５６】
〔
参考例
　ブタクロール　７．８８部、ピラゾスルフロンエチルパラフィンプレミックス　７．１４部、マイクロセルＥ　５．００部、ネオキャリアＫ　６５．５６部の代わりに、アミスルブロム（一般名、スルファモイルトリアゾール系殺菌活性成分）０．５０部およびネオキャリアＫ　８５．０８部を用いた以外は、
参考例
、粒
　【００５７】
〔比較例１〕
　セロゲン６ＡをパインデクッスＹ（商品名、松谷化学工業（株）製、デキストリン）に変更した以外は、
参考例
　【００５８】
〔比較例２〕
　ソルポール７５５６　９．００部、ネオキャリアＫ　６５．５６部の代わりに、アグリゾールＧ−２００　１０．００部＊７、およびネオキャリアＫ　６４．５６部を用いた以外は、
参考例
　【００５９】
　＊７　ポリアクリル酸ナトリウム塩として３．１０部である。
　【００６０】
〔比較例３〕
　エアロールＣＴ−１Ｌ　１．５０部、ネオキャリアＫ　６５．５６部の代わりに、ネオキャリアＫ　６７．０６部を用いた以外は、
参考例
　【００６１】
〔比較例４〕
　セロゲン６ＡをパインデクッスＹに変更した以外は、
参考例
　【００６２】
〔比較例５〕
　エアロールＣＴ−１Ｌ　１．５０部、ネオキャリアＫ　８５．０８部の代わりに、ネオキャリアＫ　８６．３５部を用いた以外は、
参考例
　【００６３】
　〔試験例１〕　農薬活性成分の水中溶出試験
　実施例
４
ｇを
結果は第１
表に
　【００６４】
　水中溶出率（％）＝（Ａ／Ｂ）×１００
　Ａ：水中に溶出した農薬活性成分量
　Ｂ：粒状農薬組成物中の農薬活性成分含有量
　【産業上の利用可能性】
　【００６５】
　本発明の固形農薬組成物は、雑草、害虫、病原菌等の有害生物の防除に使用できる。
（５７）【特許請求の範囲】
　【請求項１】
　（ａ）
ブタクロール
剤、
ジアルキルスルホコハク酸塩、
ナトリウムおよび（ｅ）ポリアクリル酸塩
　【請求項２】（削除）
　【請求項３】
　（ｂ）の界面活性剤が、ポリオキシエチレンアリールフェニルエーテルリン酸
、ポ
酸ま
１記
　【請求項４】（削除）
　【請求項５】（削除）
　【請求項６】
　固形農薬組成物が、粒状である請求項１
または３記